(57)【特許請求の範囲】
【請求項１】
カメラボディのボディ側マウント部の近傍に円弧状に設けられた１２個のボディ側接続端子を有するカメラボディが取り付けられ、第１マウント中心点を有する第１マウント部と、
前記カメラボディとの結合時に前記１２個のボディ側接続端子の各々に接続され、各々が対応する前記ボディ側接続端子と接触する接触部を含み表面に露出する露出領域を有する１２個のボディ対応接続端子が配置されたボディ対応接続端子保持部と、
アクセサリが着脱可能であり、第２マウント中心点を有する第２マウント部とを備え、
前記１２個のボディ対応接続端子は、
前記カメラボディから第１電圧が供給される第１ボディ対応接続端子と、
前記第１電圧に対応する接地端子となる第２ボディ対応接続端子と、
前記カメラボディから第１クロック信号が入力される第３ボディ対応接続端子と、
前記第１クロック信号に同期して、前記カメラボディから第１データ信号が入力される第４ボディ対応接続端子と、
前記第１クロック信号に同期して、前記カメラボディに第２データ信号を出力する第５ボディ対応接続端子と、
前記カメラボディから第２クロック信号が入力される第６ボディ対応接続端子と、
前記第２クロック信号に同期して、前記カメラボディに第３データ信号を出力する第７ボディ対応接続端子と、
前記第１クロック信号および前記第２クロック信号に同期しない第１非同期信号を前記カメラボディに出力する第８ボディ対応接続端子と、
前記第１クロック信号および前記第２クロック信号に同期しない第２非同期信号が前記カメラボディから入力される第９ボディ対応接続端子と、
前記第１クロック信号および前記第２クロック信号に同期しない第３非同期信号を前記カメラボディに出力する第１０ボディ対応接続端子と、
前記第８ボディ対応接続端子から出力する前記第１非同期信号および前記第３ボディ対応接続端子で入力された前記第１クロック信号に基づいて、前記第４ボディ対応接続端子を用いて前記カメラボディからの前記第１データ信号の受信と、前記第５ボディ対応接続端子を用いて前記カメラボディへの前記第２データ信号の送信とを行い、そして、前記第９ボディ対応接続端子で入力された前記第２非同期信号、前記第１０ボディ対応接続端子から出力した前記第３非同期信号、および前記第６ボディ対応接続端子で入力された前記第２クロック信号に基づいて、前記第７ボディ対応接続端子を用いて前記カメラボディへの前記第３データ信号の送信を行うための第１電圧よりも小さい第２電圧が、前記カメラボディから供給される第１１ボディ対応接続端子と、
前記第２電圧に対応する接地端子となる第１２ボディ対応接続端子とから成り、
前記第１ボディ対応接続端子の当該接触部と前記第１１ボディ対応接続端子の当該接触部とが前記第１マウント中心点に対して成す内角は、前記１２個のボディ対応接続端子から任意に選択された２つのボディ対応接続端子の当該接触部が前記第１マウント中心点に対して成す内角の中で最も大きく、
前記第１１ボディ対応接続端子の当該接触部と前記第１２ボディ対応接続端子の当該接触部とが前記第１マウント中心点に対して成す内角は、前記第１ボディ対応接続端子から前記第１０ボディ対応接続端子のうちいずれか１つの当該接触部と前記第１１ボディ対応接続端子の当該接触部とが前記第１マウント中心点に対して成す内角より小さく、
前記第３ボディ対応接続端子の当該接触部と前記第１１ボディ対応接続端子の当該接触部とが前記第１マウント中心点に対して成す内角は、前記第１ボディ対応接続端子、前記第２ボディ対応接続端子、および前記第４ボディ対応接続端子から前記第１０ボディ対応接続端子のうちいずれか１つの当該接触部と前記第１１ボディ対応接続端子の当該接触部とが前記第１マウント中心点に対して成す内角より小さく、
前記第４ボディ対応接続端子の当該接触部と前記第１１ボディ対応接続端子の当該接触部とが前記第１マウント中心点に対して成す内角は、前記第１ボディ対応接続端子、前記第２ボディ対応接続端子、および前記第５ボディ対応接続端子から前記第１０ボディ対応接続端子のうちいずれか１つの当該接触部と前記第１１ボディ対応接続端子の当該接触部とが前記第１マウント中心点に対して成す内角より小さく、
前記第５ボディ対応接続端子の当該接触部と前記第１１ボディ対応接続端子の当該接触部とが前記第１マウント中心点に対して成す内角は、前記第１ボディ対応接続端子、前記第２ボディ対応接続端子、および前記第６ボディ対応接続端子から前記第１０ボディ対応接続端子のうちいずれか１つの当該接触部と前記第１１ボディ対応接続端子の当該接触部とが前記第１マウント中心点に対して成す内角より小さく、
前記第８ボディ対応接続端子の当該接触部と前記第１１ボディ対応接続端子の当該接触部とが前記第１マウント中心点に対して成す内角は、前記第１ボディ対応接続端子、前記第２ボディ対応接続端子、前記第６ボディ対応接続端子、前記第７ボディ対応接続端子、前記第９ボディ対応接続端子、および前記第１０ボディ対応接続端子のうちいずれか１つの当該接触部と前記第１１ボディ対応接続端子の当該接触部とが前記第１マウント中心点に対して成す内角より小さく、
前記第９ボディ対応接続端子の当該接触部と前記第１１ボディ対応接続端子の当該接触部とが前記第１マウント中心点に対して成す内角は、前記第１ボディ対応接続端子、前記第２ボディ対応接続端子、前記第６ボディ対応接続端子、前記第７ボディ対応接続端子および前記第１０ボディ対応接続端子のうちいずれか１つの当該接触部と前記第１１ボディ対応接続端子の当該接触部とが前記第１マウント中心点に対して成す内角より小さく、
前記第１０ボディ対応接続端子の当該接触部と前記第１１ボディ対応接続端子の当該接触部とが前記第１マウント中心点に対して成す内角は、前記第１ボディ対応接続端子、前記第２ボディ対応接続端子、前記第６ボディ対応接続端子、および前記第７ボディ対応接続端子のうちいずれか１つの当該接触部と前記第１１ボディ対応接続端子の当該接触部とが前記第１マウント中心点に対して成す内角より小さく、
前記第６ボディ対応接続端子の当該接触部と前記第１１ボディ対応接続端子の当該接触部とが前記第１マウント中心点に対して成す内角は、前記第１ボディ対応接続端子、前記第２ボディ対応接続端子、および前記第７ボディ対応接続端子のうちいずれか１つの当該接触部と前記第１１ボディ対応接続端子の当該接触部とが前記第１マウント中心点に対して成す内角より小さく、
前記第７ボディ対応接続端子の当該接触部と前記第１１ボディ対応接続端子の当該接触部とが前記第１マウント中心点に対して成す内角は、前記第１ボディ対応接続端子および前記第２ボディ対応接続端子のうちいずれか１つの当該接触部と前記第１１ボディ対応接続端子の当該接触部とが前記第１マウント中心点に対して成す内角より小さく、
前記第２ボディ対応接続端子の当該接触部と前記第１１ボディ対応接続端子の当該接触部とが前記第１マウント中心点に対して成す内角は、前記第１ボディ対応接続端子の当該接触部と前記第１１ボディ対応接続端子の当該接触部とが前記第１マウント中心点に対して成す内角より小さいことを特徴とする中間アダプタ。
【請求項２】
請求項１に記載の中間アダプタにおいて、
前記１２個のボディ対応接続端子のうち少なくとも１つのボディ対応接続端子の前記露出領域の中心部と前記第１マウント中心点との間の距離が、他の少なくとも１つのボディ対応接続端子の前記露出領域の中心部と前記第１マウント中心点との間の距離と異なることを特徴とする中間アダプタ。
【請求項３】
請求項１または２に記載の中間アダプタにおいて、
前記１２個のボディ対応接続端子の１つと電気的に接続され、各々が対応する１つのアクセサリ側接続端子と接触する接触部を含み表面に露出する露出領域を有する複数のアクセサリ対応接続端子が配置されたアクセサリ対応接続端子保持部を更に備えることを特徴とする中間アダプタ。
【請求項４】
請求項３に記載の中間アダプタにおいて、
前記複数のアクセサリ対応接続端子の前記第２マウント中心点を中心とする円周方向における並び順は、前記１２個のボディ対応接続端子の前記第１マウント中心点を中心とする円周方向における並び順と異なることを特徴とする中間アダプタ。
【請求項５】
請求項３に記載の中間アダプタにおいて、
前記１２個のボディ対応接続端子とそれぞれ電気的に接続され、各々が対応する１つのアクセサリ側接続端子と接触する接触部を含み表面に露出する露出領域を有する１２個のアクセサリ対応接続端子が配置された前記アクセサリ対応接続端子保持部を備え、
前記１２個のアクセサリ対応接続端子は、前記第２マウント部に着脱可能な前記アクセサリのマウント部の近傍に設けられた１２個のアクセサリ側接続端子にそれぞれ接続されることを特徴とする中間アダプタ。
【請求項６】
請求項５に記載の中間アダプタにおいて、
前記１２個のアクセサリ対応接続端子の前記第２マウント中心点を中心とする円周方向における並び順は、前記１２個のボディ対応接続端子の前記第１マウント中心点を中心とする円周方向における並び順と異なることを特徴とする中間アダプタ。
【請求項７】
カメラボディのボディ側マウント部の近傍に円弧状に設けられた１２個のボディ側接続端子を有するカメラボディが取り付けられ、第１マウント中心点を有する第１マウント部と、
前記カメラボディとの結合時に各々が対応する前記ボディ側接続端子の１つと接触する接触部を含み表面に露出する露出領域を有する少なくとも５個のボディ対応接続端子が配置されたボディ対応接続端子保持部と、
アクセサリが着脱可能であり、第２マウント中心点を有する第２マウント部とを備え、
前記５個のボディ対応接続端子は、
前記カメラボディからクロック信号が入力されるクロック入力ボディ対応接続端子と、
前記クロック信号に同期して、前記カメラボディから第１データ信号が入力されるデータ入力ボディ対応接続端子と、
前記クロック信号に同期して、前記カメラボディに第２データ信号を出力するデータ出力ボディ対応接続端子と、
前記クロック信号に同期しない非同期信号を前記カメラボディに出力する非同期信号出力ボディ対応接続端子と、
前記非同期信号出力ボディ対応接続端子から出力する前記非同期信号および前記クロック入力ボディ対応接続端子で入力された前記クロック信号に基づいて、前記データ入力ボディ対応接続端子を用いて前記カメラボディからの前記第１データ信号の受信と、前記データ出力ボディ対応接続端子を用いて前記カメラボディへの前記第２データ信号の送信とを行うための動作電圧が、前記カメラボディから供給される電圧供給ボディ対応接続端子とから成り、
前記非同期信号出力ボディ対応接続端子の当該接触部と前記電圧供給ボディ対応接続端子の当該接触部とが前記第１マウント中心点に対して成す内角は、前記５個のボディ対応接続端子から任意に選択された２つのボディ対応接続端子の当該接触部が前記第１マウント中心点に対して成す内角の中で最も大きく、
前記クロック入力ボディ対応接続端子の当該接触部と前記電圧供給ボディ対応接続端子の当該接触部とが前記第１マウント中心点に対して成す内角は、前記データ入力ボディ対応接続端子、前記データ出力ボディ対応接続端子、および前記非同期信号出力ボディ対応接続端子のうちいずれか１つの当該接触部と前記電圧供給ボディ対応接続端子の当該接触部とが前記第１マウント中心点に対して成す内角より小さく、
前記データ入力ボディ対応接続端子の当該接触部と前記電圧供給ボディ対応接続端子の当該接触部とが前記第１マウント中心点に対して成す内角は、前記データ出力ボディ対応接続端子および前記非同期信号出力ボディ対応接続端子のうちいずれか１つの当該接触部と前記電圧供給ボディ対応接続端子の当該接触部とが前記第１マウント中心点に対して成す内角より小さく、
前記データ出力ボディ対応接続端子の当該接触部と前記電圧供給ボディ対応接続端子の当該接触部とが前記第１マウント中心点に対して成す内角は、前記非同期信号出力ボディ対応接続端子の当該接触部と前記電圧供給ボディ対応接続端子の当該接触部とが前記第１マウント中心点に対して成す内角より小さいことを特徴とする中間アダプタ。
【請求項８】
請求項７に記載の中間アダプタにおいて、
前記５個のボディ対応接続端子のうち少なくとも１つのボディ対応接続端子の前記露出領域の中心部と前記第１マウント中心点との間の距離が、他の少なくとも１つのボディ対応接続端子の前記露出領域の中心部と前記第１マウント中心点との間の距離と異なることを特徴とする中間アダプタ。
【請求項９】
請求項７または８に記載の中間アダプタにおいて、
前記５個のボディ対応接続端子の１つと電気的に接続され、各々が対応する１つのアクセサリ側接続端子と接触する接触部を含み表面に露出する露出領域を有する複数のアクセサリ対応接続端子が配置されたアクセサリ対応接続端子保持部を更に備えることを特徴とする中間アダプタ。
【請求項１０】
請求項９に記載の中間アダプタにおいて、
前記複数のアクセサリ対応接続端子の前記第２マウント中心点を中心とする円周方向における並び順は、前記５個のボディ対応接続端子の前記第１マウント中心点を中心とする円周方向における並び順と異なることを特徴とする中間アダプタ。
【請求項１１】
請求項９に記載の中間アダプタにおいて、
前記５個のボディ対応接続端子とそれぞれ電気的に接続され、各々が対応する１つのアクセサリ側接続端子と接触する接触部を含み表面に露出する露出領域を有する少なくとも５個のアクセサリ対応接続端子が配置されたアクセサリ対応接続端子保持部を備え、
前記５個のアクセサリ対応接続端子は、前記第２マウント部に着脱可能な前記アクセサリのマウント部の近傍に設けられた少なくとも５個のアクセサリ側接続端子にそれぞれ接続されることを特徴とする中間アダプタ。
【請求項１２】
請求項１１に記載の中間アダプタにおいて、
前記５個のアクセサリ対応接続端子の前記第２マウント中心点を中心とする円周方向における並び順は、前記５個のボディ対応接続端子の前記第１マウント中心点を中心とする円周方向における並び順と異なることを特徴とする中間アダプタ。
【請求項１３】
請求項１に記載の中間アダプタにおいて、
複数のアクセサリ対応接続端子が配置されたアクセサリ対応接続端子保持部と、
前記カメラボディおよび前記アクセサリとデータ通信を行う通信部と、
前記１２個のボディ対応接続端子のうち少なくとも１つを介して、前記カメラボディから前記通信部を介して所定の制御指示を表す第１制御データを受信したことに応じて、前記制御指示を表し前記第１制御データとは異なる第２制御データを前記通信部を介して前記アクセサリに送信する制御データ授受部とを更に備えることを特徴とする中間アダプタ。
【請求項１４】
請求項７に記載の中間アダプタにおいて、
複数のアクセサリ対応接続端子が配置されたアクセサリ対応接続端子保持部と、
前記カメラボディおよび前記アクセサリとデータ通信を行う通信部と、
前記５個のボディ対応接続端子のうち少なくとも１つを介して、前記カメラボディから前記通信部を介して所定の制御指示を表す第１制御データを受信したことに応じて、前記制御指示を表し前記第１制御データとは異なる第２制御データを前記通信部を介して前記アクセサリに送信する制御データ授受部とを備えることを特徴とする中間アダプタ。
【請求項１５】
請求項１〜１４のいずれか一項に記載の中間アダプタにおいて、
前記アクセサリが有する結像光学系を透過した被写体光を前記カメラボディに出射する光学部材を備えることを特徴とする中間アダプタ。
【請求項１６】
中間アダプタのアダプタ側マウント部の近傍に円弧状に設けられた１２個のアダプタ側接続端子を有する中間アダプタが取り付けられ、第１マウント中心点を有する第１マウント部と、
前記中間アダプタとの結合時に前記１２個のアダプタ側接続端子の各々に接続され、各々が対応する前記アダプタ側接続端子と接触する接触部を含み表面に露出する露出領域を有する１２個のアダプタ対応接続端子が配置されたアダプタ対応接続端子保持部と、
アクセサリが着脱可能であり、第２マウント中心点を有する第２マウント部と、
各々が前記１２個のアダプタ対応接続端子の１つと電気的に接続され、前記アクセサリとの結合時に各々が対応する１つのアクセサリ側接続端子と接触する接触部を含み表面に露出する露出領域を有する１２個のアクセサリ対応接続端子が配置されたアクセサリ対応接続端子保持部とを備え、
前記１２個のアダプタ対応接続端子は、
前記中間アダプタから第１電圧が供給される第１アダプタ対応接続端子と、
前記第１電圧に対応する接地端子となる第２アダプタ対応接続端子と、
前記中間アダプタから第１クロック信号が入力される第３アダプタ対応接続端子と、
前記第１クロック信号に同期して、前記中間アダプタから第１データ信号が入力される第４アダプタ対応接続端子と、
前記第１クロック信号に同期して、前記中間アダプタに第２データ信号を出力する第５アダプタ対応接続端子と、
前記中間アダプタから第２クロック信号が入力される第６アダプタ対応接続端子と、
前記第２クロック信号に同期して、前記中間アダプタに第３データ信号を出力する第７アダプタ対応接続端子と、
前記第１クロック信号および前記第２クロック信号に同期しない第１非同期信号を前記中間アダプタに出力する第８アダプタ対応接続端子と、
前記第１クロック信号および前記第２クロック信号に同期しない第２非同期信号が前記中間アダプタから入力される第９アダプタ対応接続端子と、
前記第１クロック信号および前記第２クロック信号に同期しない第３非同期信号を前記中間アダプタに出力する第１０アダプタ対応接続端子と、
前記第８アダプタ対応接続端子から出力する前記第１非同期信号および前記第３アダプタ対応接続端子で入力された前記第１クロック信号に基づいて、前記第４アダプタ対応接続端子を用いて前記中間アダプタからの前記第１データ信号の受信と、前記第５アダプタ対応接続端子を用いて前記中間アダプタへの前記第２データ信号の送信とを行い、そして、前記第９アダプタ対応接続端子で入力された前記第２非同期信号、前記第１０アダプタ対応接続端子から出力した前記第３非同期信号、および前記第６アダプタ対応接続端子で入力された前記第２クロック信号に基づいて、前記第７アダプタ対応接続端子を用いて前記中間アダプタへの前記第３データ信号の送信を行うための第１電圧よりも小さい第２電圧が、前記中間アダプタから供給される第１１アダプタ対応接続端子と、
前記第２電圧に対応する接地端子となる第１２アダプタ対応接続端子とから成り、
前記１２個のアクセサリ対応接続端子の前記第２マウント中心点を中心とする円周方向における並び順は、前記１２個のアダプタ対応接続端子の前記第１マウント中心点を中心とする円周方向における並び順と異なることを特徴とするアクセサリ。
【請求項１７】
中間アダプタのアダプタ側マウント部の近傍に円弧状に設けられた少なくとも５個のアダプタ側接続端子を有する中間アダプタが取り付けられ、第１マウント中心点を有する第１マウント部と、
前記中間アダプタとの結合時に各々が対応する前記アダプタ側接続端子の１つと接触する接触部を含み表面に露出する露出領域を有する少なくとも５個のアダプタ対応接続端子が配置されたアダプタ対応接続端子保持部と、
アクセサリが着脱可能であり、第２マウント中心点を有する第２マウント部と、
前記アクセサリとの結合時に各々が前記５個のアダプタ対応接続端子の１つと電気的に接続され、各々が対応する１つのアクセサリ側接続端子と接触する接触部を含み表面に露出する露出領域を有する少なくとも５個のアクセサリ対応接続端子が配置されたアクセサリ対応接続端子保持部とを備え、
前記５個のアダプタ対応接続端子は、
前記中間アダプタからクロック信号が入力されるクロック入力アダプタ対応接続端子と、
前記クロック信号に同期して、前記中間アダプタから第１データ信号が入力されるデータ入力アダプタ対応接続端子と、
前記クロック信号に同期して、前記中間アダプタに第２データ信号を出力するデータ出力アダプタ対応接続端子と、
前記クロック信号に同期しない非同期信号を前記中間アダプタに出力する非同期信号出力アダプタ対応接続端子と、
前記非同期信号出力アダプタ対応接続端子から出力する前記非同期信号および前記クロック入力アダプタ対応接続端子で入力された前記クロック信号に基づいて、前記データ入力アダプタ対応接続端子を用いて前記中間アダプタからの前記第１データ信号の受信と、前記データ出力アダプタ対応接続端子を用いて前記中間アダプタへの前記第２データ信号の送信とを行うための動作電圧が、前記中間アダプタから供給される電圧供給アダプタ対応接続端子とから成り、
前記５個のアクセサリ対応接続端子の前記第２マウント中心点を中心とする円周方向における並び順は、前記５個のアダプタ対応接続端子の前記第１マウント中心点を中心とする円周方向における並び順と異なることを特徴とするアクセサリ。
【請求項１８】
中間アダプタのアダプタ側マウント部の近傍に円弧状に設けられた１２個のアダプタ側接続端子を有する中間アダプタが取り付けられ、マウント中心点を有するマウント部と、
前記中間アダプタとの結合時に前記１２個のアダプタ側接続端子の各々に接続され、各々が対応する前記アダプタ側接続端子と接触する接触部を含み表面に露出する露出領域を有する１２個のレンズ側接続端子が配置されたレンズ側接続端子保持部とを備え、
前記１２個のレンズ側接続端子は、
前記中間アダプタから第１電圧が供給される第１レンズ側接続端子と、
前記第１電圧に対応する接地端子となる第２レンズ側接続端子と、
前記中間アダプタから第１クロック信号が入力される第３レンズ側接続端子と、
前記第１クロック信号に同期して、前記中間アダプタから第１データ信号が入力される第４レンズ側接続端子と、
前記第１クロック信号に同期して、前記中間アダプタに第２データ信号を出力する第５レンズ側接続端子と、
前記中間アダプタから第２クロック信号が入力される第６レンズ側接続端子と、
前記第２クロック信号に同期して、前記中間アダプタに第３データ信号を出力する第７レンズ側接続端子と、
前記第１クロック信号および前記第２クロック信号に同期しない第１非同期信号を前記中間アダプタに出力する第８レンズ側接続端子と、
前記第１クロック信号および前記第２クロック信号に同期しない第２非同期信号が前記中間アダプタから入力される第９レンズ側接続端子と、
前記第１クロック信号および前記第２クロック信号に同期しない第３非同期信号を前記中間アダプタに出力する第１０レンズ側接続端子と、
前記第８レンズ側接続端子から出力する前記第１非同期信号および前記第３レンズ側接続端子で入力された前記第１クロック信号に基づいて、前記第４レンズ側接続端子を用いて前記中間アダプタからの前記第１データ信号の受信と、前記第５レンズ側接続端子を用いて前記中間アダプタへの前記第２データ信号の送信とを行い、そして、前記第９レンズ側接続端子で入力された前記第２非同期信号、前記第１０レンズ側接続端子から出力した前記第３非同期信号、および前記第６レンズ側接続端子で入力された前記第２クロック信号に基づいて、前記第７レンズ側接続端子を用いて前記中間アダプタへの前記第３データ信号の送信を行うための第１電圧よりも小さい第２電圧が、前記中間アダプタから供給される第１１レンズ側接続端子と、
前記第２電圧に対応する接地端子となる第１２レンズ側接続端子とから成り、
前記１２個のレンズ側接続端子の前記マウント中心点を中心とする円周方向における並び順は、前記１２個のアダプタ側接続端子の前記マウント中心点を中心とする円周方向における並び順と異なることを特徴とする交換レンズ。
【請求項１９】
中間アダプタのアダプタ側マウント部の近傍に円弧状に設けられた少なくとも５個のアダプタ側接続端子を有する中間アダプタが取り付けられ、マウント中心点を有するマウント部と、
前記中間アダプタとの結合時に前記５個のアダプタ側接続端子の各々に接続され、各々が対応する前記アダプタ側接続端子の１つと接触する接触部を含み表面に露出する露出領域を有する少なくとも５個のレンズ側接続端子が配置されたレンズ側接続端子保持部とを備え、
前記５個のレンズ側接続端子は、
前記中間アダプタからクロック信号が入力されるクロック入力レンズ側接続端子と、
前記クロック信号に同期して、前記中間アダプタから第１データ信号が入力されるデータ入力レンズ側接続端子と、
前記クロック信号に同期して、前記中間アダプタに第２データ信号を出力するデータ出力レンズ側接続端子と、
前記クロック信号に同期しない非同期信号を前記中間アダプタに出力する非同期信号出力レンズ側接続端子と、
前記非同期信号出力レンズ側接続端子から出力する前記非同期信号および前記クロック入力レンズ側接続端子で入力された前記クロック信号に基づいて、前記データ入力レンズ側接続端子を用いて前記中間アダプタからの前記第１データ信号の受信と、前記データ出力レンズ側接続端子を用いて前記中間アダプタへの前記第２データ信号の送信とを行うための動作電圧が、前記中間アダプタから供給される電圧供給レンズ側接続端子とから成り、
前記５個のレンズ側接続端子の前記マウント中心点を中心とする円周方向における並び順は、前記５個のアダプタ側接続端子の前記マウント中心点を中心とする円周方向における並び順と異なることを特徴とする交換レンズ。
【発明の詳細な説明】
【技術分野】
【０００１】
本発明は、中間アダプタ、アクセサリおよび交換レンズに関する。
【背景技術】
【０００２】
カメラボディと交換レンズとの間で電気的に通信を行うカメラシステムが知られている。例えば特許文献１には、カメラボディと通信を行うための端子群と、中間リングやリアフォーカスコンバータなどのアダプタと通信を行うための端子群と、を有する交換レンズが記載されている。これら２つの端子群は互いに独立した通信系を構成しており、交換レンズはアダプタ装着時にまず一方の通信系によりアダプタと通信を行う。交換レンズはその後、他方の通信系によりカメラボディと通信を行う。これらの端子群は円弧状に並べて配置されており、その一端にはカメラボディから交換レンズおよびアダプタに電源を供給するための端子群が隣接して配置されている。
【先行技術文献】
【特許文献】
【０００３】
【特許文献１】特開平７−２３４４３２号公報
【発明の概要】
【発明が解決しようとする課題】
【０００４】
特許文献１に記載のカメラボディと交換レンズは、独立した２つの通信系が同時に通信を行うとき、互いの通信に好ましからざる影響を及ぼす可能性がある。
【課題を解決するための手段】
【０００５】
請求項１に記載の中間アダプタは、カメラボディのボディ側マウント部の近傍に円弧状に設けられた１２個のボディ側接続端子を有するカメラボディが取り付けられ、第１マウント中心点を有する第１マウント部と、前記カメラボディとの結合時に前記１２個のボディ側接続端子の各々に接続され、各々が対応する前記ボディ側接続端子と接触する接触部を含み表面に露出する露出領域を有する１２個のボディ対応接続端子が配置されたボディ対応接続端子保持部と、アクセサリが着脱可能であり、第２マウント中心点を有する第２マウント部とを備え、前記１２個のボディ対応接続端子は、前記カメラボディから第１電圧が供給される第１ボディ対応接続端子と、前記第１電圧に対応する接地端子となる第２ボディ対応接続端子と、前記カメラボディから第１クロック信号が入力される第３ボディ対応接続端子と、前記第１クロック信号に同期して、前記カメラボディから第１データ信号が入力される第４ボディ対応接続端子と、前記第１クロック信号に同期して、前記カメラボディに第２データ信号を出力する第５ボディ対応接続端子と、前記カメラボディから第２クロック信号が入力される第６ボディ対応接続端子と、前記第２クロック信号に同期して、前記カメラボディに第３データ信号を出力する第７ボディ対応接続端子と、前記第１クロック信号および前記第２クロック信号に同期しない第１非同期信号を前記カメラボディに出力する第８ボディ対応接続端子と、前記第１クロック信号および前記第２クロック信号に同期しない第２非同期信号が前記カメラボディから入力される第９ボディ対応接続端子と、前記第１クロック信号および前記第２クロック信号に同期しない第３非同期信号を前記カメラボディに出力する第１０ボディ対応接続端子と、前記第８ボディ対応接続端子から出力する前記第１非同期信号および前記第３ボディ対応接続端子で入力された前記第１クロック信号に基づいて、前記第４ボディ対応接続端子を用いて前記カメラボディからの前記第１データ信号の受信と、前記第５ボディ対応接続端子を用いて前記カメラボディへの前記第２データ信号の送信とを行い、そして、前記第９ボディ対応接続端子で入力された前記第２非同期信号、前記第１０ボディ対応接続端子から出力した前記第３非同期信号、および前記第６ボディ対応接続端子で入力された前記第２クロック信号に基づいて、前記第７ボディ対応接続端子を用いて前記カメラボディへの前記第３データ信号の送信を行うための第１電圧よりも小さい第２電圧が、前記カメラボディから供給される第１１ボディ対応接続端子と、前記第２電圧に対応する接地端子となる第１２ボディ対応接続端子とから成り、前記第１ボディ対応接続端子の当該接触部と前記第１１ボディ対応接続端子の当該接触部とが前記第１マウント中心点に対して成す内角は、前記１２個のボディ対応接続端子から任意に選択された２つのボディ対応接続端子の当該接触部が前記第１マウント中心点に対して成す内角の中で最も大きく、前記第１１ボディ対応接続端子の当該接触部と前記第１２ボディ対応接続端子の当該接触部とが前記第１マウント中心点に対して成す内角は、前記第１ボディ対応接続端子から前記第１０ボディ対応接続端子のうちいずれか１つの当該接触部と前記第１１ボディ対応接続端子の当該接触部とが前記第１マウント中心点に対して成す内角より小さく、前記第３ボディ対応接続端子の当該接触部と前記第１１ボディ対応接続端子の当該接触部とが前記第１マウント中心点に対して成す内角は、前記第１ボディ対応接続端子、前記第２ボディ対応接続端子、および前記第４ボディ対応接続端子から前記第１０ボディ対応接続端子のうちいずれか１つの当該接触部と前記第１１ボディ対応接続端子の当該接触部とが前記第１マウント中心点に対して成す内角より小さく、前記第４ボディ対応接続端子の当該接触部と前記第１１ボディ対応接続端子の当該接触部とが前記第１マウント中心点に対して成す内角は、前記第１ボディ対応接続端子、前記第２ボディ対応接続端子、および前記第５ボディ対応接続端子から前記第１０ボディ対応接続端子のうちいずれか１つの当該接触部と前記第１１ボディ対応接続端子の当該接触部とが前記第１マウント中心点に対して成す内角より小さく、前記第５ボディ対応接続端子の当該接触部と前記第１１ボディ対応接続端子の当該接触部とが前記第１マウント中心点に対して成す内角は、前記第１ボディ対応接続端子、前記第２ボディ対応接続端子、および前記第６ボディ対応接続端子から前記第１０ボディ対応接続端子のうちいずれか１つの当該接触部と前記第１１ボディ対応接続端子の当該接触部とが前記第１マウント中心点に対して成す内角より小さく、前記第８ボディ対応接続端子の当該接触部と前記第１１ボディ対応接続端子の当該接触部とが前記第１マウント中心点に対して成す内角は、前記第１ボディ対応接続端子、前記第２ボディ対応接続端子、前記第６ボディ対応接続端子、前記第７ボディ対応接続端子、前記第９ボディ対応接続端子、および前記第１０ボディ対応接続端子のうちいずれか１つの当該接触部と前記第１１ボディ対応接続端子の当該接触部とが前記第１マウント中心点に対して成す内角より小さく、前記第９ボディ対応接続端子の当該接触部と前記第１１ボディ対応接続端子の当該接触部とが前記第１マウント中心点に対して成す内角は、前記第１ボディ対応接続端子、前記第２ボディ対応接続端子、前記第６ボディ対応接続端子、前記第７ボディ対応接続端子および前記第１０ボディ対応接続端子のうちいずれか１つの当該接触部と前記第１１ボディ対応接続端子の当該接触部とが前記第１マウント中心点に対して成す内角より小さく、前記第１０ボディ対応接続端子の当該接触部と前記第１１ボディ対応接続端子の当該接触部とが前記第１マウント中心点に対して成す内角は、前記第１ボディ対応接続端子、前記第２ボディ対応接続端子、前記第６ボディ対応接続端子、および前記第７ボディ対応接続端子のうちいずれか１つの当該接触部と前記第１１ボディ対応接続端子の当該接触部とが前記第１マウント中心点に対して成す内角より小さく、前記第６ボディ対応接続端子の当該接触部と前記第１１ボディ対応接続端子の当該接触部とが前記第１マウント中心点に対して成す内角は、前記第１ボディ対応接続端子、前記第２ボディ対応接続端子、および前記第７ボディ対応接続端子のうちいずれか１つの当該接触部と前記第１１ボディ対応接続端子の当該接触部とが前記第１マウント中心点に対して成す内角より小さく、前記第７ボディ対応接続端子の当該接触部と前記第１１ボディ対応接続端子の当該接触部とが前記第１マウント中心点に対して成す内角は、前記第１ボディ対応接続端子および前記第２ボディ対応接続端子のうちいずれか１つの当該接触部と前記第１１ボディ対応接続端子の当該接触部とが前記第１マウント中心点に対して成す内角より小さく、前記第２ボディ対応接続端子の当該接触部と前記第１１ボディ対応接続端子の当該接触部とが前記第１マウント中心点に対して成す内角は、前記第１ボディ対応接続端子の当該接触部と前記第１１ボディ対応接続端子の当該接触部とが前記第１マウント中心点に対して成す内角より小さいことを特徴とする。
請求項７に記載の中間アダプタは、カメラボディのボディ側マウント部の近傍に円弧状に設けられた１２個のボディ側接続端子を有するカメラボディが取り付けられ、第１マウント中心点を有する第１マウント部と、前記カメラボディとの結合時に各々が対応する前記ボディ側接続端子の１つと接触する接触部を含み表面に露出する露出領域を有する少なくとも５個のボディ対応接続端子が配置されたボディ対応接続端子保持部と、アクセサリが着脱可能であり、第２マウント中心点を有する第２マウント部とを備え、前記５個のボディ対応接続端子は、前記カメラボディからクロック信号が入力されるクロック入力ボディ対応接続端子と、前記クロック信号に同期して、前記カメラボディから第１データ信号が入力されるデータ入力ボディ対応接続端子と、前記クロック信号に同期して、前記カメラボディに第２データ信号を出力するデータ出力ボディ対応接続端子と、前記クロック信号に同期しない非同期信号を前記カメラボディに出力する非同期信号出力ボディ対応接続端子と、前記非同期信号出力ボディ対応接続端子から出力する前記非同期信号および前記クロック入力ボディ対応接続端子で入力された前記クロック信号に基づいて、前記データ入力ボディ対応接続端子を用いて前記カメラボディからの前記第１データ信号の受信と、前記データ出力ボディ対応接続端子を用いて前記カメラボディへの前記第２データ信号の送信とを行うための動作電圧が、前記カメラボディから供給される電圧供給ボディ対応接続端子とから成り、前記非同期信号出力ボディ対応接続端子の当該接触部と前記電圧供給ボディ対応接続端子の当該接触部とが前記第１マウント中心点に対して成す内角は、前記５個のボディ対応接続端子から任意に選択された２つのボディ対応接続端子の当該接触部が前記第１マウント中心点に対して成す内角の中で最も大きく、前記クロック入力ボディ対応接続端子の当該接触部と前記電圧供給ボディ対応接続端子の当該接触部とが前記第１マウント中心点に対して成す内角は、前記データ入力ボディ対応接続端子、前記データ出力ボディ対応接続端子、および前記非同期信号出力ボディ対応接続端子のうちいずれか１つの当該接触部と前記電圧供給ボディ対応接続端子の当該接触部とが前記第１マウント中心点に対して成す内角より小さく、前記データ入力ボディ対応接続端子の当該接触部と前記電圧供給ボディ対応接続端子の当該接触部とが前記第１マウント中心点に対して成す内角は、前記データ出力ボディ対応接続端子および前記非同期信号出力ボディ対応接続端子のうちいずれか１つの当該接触部と前記電圧供給ボディ対応接続端子の当該接触部とが前記第１マウント中心点に対して成す内角より小さく、前記データ出力ボディ対応接続端子の当該接触部と前記電圧供給ボディ対応接続端子の当該接触部とが前記第１マウント中心点に対して成す内角は、前記非同期信号出力ボディ対応接続端子の当該接触部と前記電圧供給ボディ対応接続端子の当該接触部とが前記第１マウント中心点に対して成す内角より小さいことを特徴とする。
請求項１６に記載のアクセサリは、中間アダプタのアダプタ側マウント部の近傍に円弧状に設けられた１２個のアダプタ側接続端子を有する中間アダプタが取り付けられ、第１マウント中心点を有する第１マウント部と、前記中間アダプタとの結合時に前記１２個のアダプタ側接続端子の各々に接続され、各々が対応する前記アダプタ側接続端子と接触する接触部を含み表面に露出する露出領域を有する１２個のアダプタ対応接続端子が配置されたアダプタ対応接続端子保持部と、アクセサリが着脱可能であり、第２マウント中心点を有する第２マウント部と、各々が前記１２個のアダプタ対応接続端子の１つと電気的に接続され、前記アクセサリとの結合時に各々が対応する１つのアクセサリ側接続端子と接触する接触部を含み表面に露出する露出領域を有する１２個のアクセサリ対応接続端子が配置されたアクセサリ対応接続端子保持部とを備え、前記１２個のアダプタ対応接続端子は、前記中間アダプタから第１電圧が供給される第１アダプタ対応接続端子と、前記第１電圧に対応する接地端子となる第２アダプタ対応接続端子と、前記中間アダプタから第１クロック信号が入力される第３アダプタ対応接続端子と、前記第１クロック信号に同期して、前記中間アダプタから第１データ信号が入力される第４アダプタ対応接続端子と、前記第１クロック信号に同期して、前記中間アダプタに第２データ信号を出力する第５アダプタ対応接続端子と、前記中間アダプタから第２クロック信号が入力される第６アダプタ対応接続端子と、前記第２クロック信号に同期して、前記中間アダプタに第３データ信号を出力する第７アダプタ対応接続端子と、前記第１クロック信号および前記第２クロック信号に同期しない第１非同期信号を前記中間アダプタに出力する第８アダプタ対応接続端子と、前記第１クロック信号および前記第２クロック信号に同期しない第２非同期信号が前記中間アダプタから入力される第９アダプタ対応接続端子と、前記第１クロック信号および前記第２クロック信号に同期しない第３非同期信号を前記中間アダプタに出力する第１０アダプタ対応接続端子と、前記第８アダプタ対応接続端子から出力する前記第１非同期信号および前記第３アダプタ対応接続端子で入力された前記第１クロック信号に基づいて、前記第４アダプタ対応接続端子を用いて前記中間アダプタからの前記第１データ信号の受信と、前記第５アダプタ対応接続端子を用いて前記中間アダプタへの前記第２データ信号の送信とを行い、そして、前記第９アダプタ対応接続端子で入力された前記第２非同期信号、前記第１０アダプタ対応接続端子から出力した前記第３非同期信号、および前記第６アダプタ対応接続端子で入力された前記第２クロック信号に基づいて、前記第７アダプタ対応接続端子を用いて前記中間アダプタへの前記第３データ信号の送信を行うための第１電圧よりも小さい第２電圧が、前記中間アダプタから供給される第１１アダプタ対応接続端子と、前記第２電圧に対応する接地端子となる第１２アダプタ対応接続端子とから成り、前記１２個のアクセサリ対応接続端子の前記第２マウント中心点を中心とする円周方向における並び順は、前記１２個のアダプタ対応接続端子の前記第１マウント中心点を中心とする円周方向における並び順と異なることを特徴とする。
請求項１７に記載のアクセサリは、中間アダプタのアダプタ側マウント部の近傍に円弧状に設けられた少なくとも５個のアダプタ側接続端子を有する中間アダプタが取り付けられ、第１マウント中心点を有する第１マウント部と、前記中間アダプタとの結合時に各々が対応する前記アダプタ側接続端子の１つと接触する接触部を含み表面に露出する露出領域を有する少なくとも５個のアダプタ対応接続端子が配置されたアダプタ対応接続端子保持部と、アクセサリが着脱可能であり、第２マウント中心点を有する第２マウント部と、前記アクセサリとの結合時に各々が前記５個のアダプタ対応接続端子の１つと電気的に接続され、各々が対応する１つのアクセサリ側接続端子と接触する接触部を含み表面に露出する露出領域を有する少なくとも５個のアクセサリ対応接続端子が配置されたアクセサリ対応接続端子保持部とを備え、前記５個のアダプタ対応接続端子は、前記中間アダプタからクロック信号が入力されるクロック入力アダプタ対応接続端子と、前記クロック信号に同期して、前記中間アダプタから第１データ信号が入力されるデータ入力アダプタ対応接続端子と、前記クロック信号に同期して、前記中間アダプタに第２データ信号を出力するデータ出力アダプタ対応接続端子と、前記クロック信号に同期しない非同期信号を前記中間アダプタに出力する非同期信号出力アダプタ対応接続端子と、前記非同期信号出力アダプタ対応接続端子から出力する前記非同期信号および前記クロック入力アダプタ対応接続端子で入力された前記クロック信号に基づいて、前記データ入力アダプタ対応接続端子を用いて前記中間アダプタからの前記第１データ信号の受信と、前記データ出力アダプタ対応接続端子を用いて前記中間アダプタへの前記第２データ信号の送信とを行うための動作電圧が、前記中間アダプタから供給される電圧供給アダプタ対応接続端子とから成り、前記５個のアクセサリ対応接続端子の前記第２マウント中心点を中心とする円周方向における並び順は、前記５個のアダプタ対応接続端子の前記第１マウント中心点を中心とする円周方向における並び順と異なることを特徴とする。
請求項１８に記載の交換レンズは、中間アダプタのアダプタ側マウント部の近傍に円弧状に設けられた１２個のアダプタ側接続端子を有する中間アダプタが取り付けられ、マウント中心点を有するマウント部と、前記中間アダプタとの結合時に前記１２個のアダプタ側接続端子の各々に接続され、各々が対応する前記アダプタ側接続端子と接触する接触部を含み表面に露出する露出領域を有する１２個のレンズ側接続端子が配置されたレンズ側接続端子保持部とを備え、前記１２個のレンズ側接続端子は、前記中間アダプタから第１電圧が供給される第１レンズ側接続端子と、前記第１電圧に対応する接地端子となる第２レンズ側接続端子と、前記中間アダプタから第１クロック信号が入力される第３レンズ側接続端子と、前記第１クロック信号に同期して、前記中間アダプタから第１データ信号が入力される第４レンズ側接続端子と、前記第１クロック信号に同期して、前記中間アダプタに第２データ信号を出力する第５レンズ側接続端子と、前記中間アダプタから第２クロック信号が入力される第６レンズ側接続端子と、前記第２クロック信号に同期して、前記中間アダプタに第３データ信号を出力する第７レンズ側接続端子と、前記第１クロック信号および前記第２クロック信号に同期しない第１非同期信号を前記中間アダプタに出力する第８レンズ側接続端子と、前記第１クロック信号および前記第２クロック信号に同期しない第２非同期信号が前記中間アダプタから入力される第９レンズ側接続端子と、前記第１クロック信号および前記第２クロック信号に同期しない第３非同期信号を前記中間アダプタに出力する第１０レンズ側接続端子と、前記第８レンズ側接続端子から出力する前記第１非同期信号および前記第３レンズ側接続端子で入力された前記第１クロック信号に基づいて、前記第４レンズ側接続端子を用いて前記中間アダプタからの前記第１データ信号の受信と、前記第５レンズ側接続端子を用いて前記中間アダプタへの前記第２データ信号の送信とを行い、そして、前記第９レンズ側接続端子で入力された前記第２非同期信号、前記第１０レンズ側接続端子から出力した前記第３非同期信号、および前記第６レンズ側接続端子で入力された前記第２クロック信号に基づいて、前記第７レンズ側接続端子を用いて前記中間アダプタへの前記第３データ信号の送信を行うための第１電圧よりも小さい第２電圧が、前記中間アダプタから供給される第１１レンズ側接続端子と、前記第２電圧に対応する接地端子となる第１２レンズ側接続端子とから成り、前記１２個のレンズ側接続端子の前記マウント中心点を中心とする円周方向における並び順は、前記マウント中心点を中心とする円周方向における並び順と異なることを特徴とする。
請求項１９に記載の交換レンズは、中間アダプタのアダプタ側マウント部の近傍に円弧状に設けられた少なくとも５個のアダプタ側接続端子を有する中間アダプタが取り付けられ、マウント中心点を有するマウント部と、前記中間アダプタとの結合時に前記５個のアダプタ側接続端子の各々に接続され、各々が対応する前記アダプタ側接続端子の１つと接触する接触部を含み表面に露出する露出領域を有する少なくとも５個のレンズ側接続端子が配置されたレンズ側接続端子保持部とを備え、前記５個のレンズ側接続端子は、前記中間アダプタからクロック信号が入力されるクロック入力レンズ側接続端子と、前記クロック信号に同期して、前記中間アダプタから第１データ信号が入力されるデータ入力レンズ側接続端子と、前記クロック信号に同期して、前記中間アダプタに第２データ信号を出力するデータ出力レンズ側接続端子と、前記クロック信号に同期しない非同期信号を前記中間アダプタに出力する非同期信号出力レンズ側接続端子と、前記非同期信号出力レンズ側接続端子から出力する前記非同期信号および前記クロック入力レンズ側接続端子で入力された前記クロック信号に基づいて、前記データ入力レンズ側接続端子を用いて前記中間アダプタからの前記第１データ信号の受信と、前記データ出力レンズ側接続端子を用いて前記中間アダプタへの前記第２データ信号の送信とを行うための動作電圧が、前記中間アダプタから供給される電圧供給レンズ側接続端子とから成り、前記５個のレンズ側接続端子の前記マウント中心点を中心とする円周方向における並び順は、前記５個のアダプタ側接続端子の前記マウント中心点を中心とする円周方向における並び順と異なることを特徴とする。
【発明の効果】
【０００６】
本発明によれば、独立した２つの通信系が、互いに良好な通信を行うことができる。
【図面の簡単な説明】
【０００７】
【図１】本発明を適用したレンズ交換式のカメラシステムを示した斜視図である。
【図２】本発明を適用したレンズ交換式のカメラシステムを示した断面図である。
【図３】カメラボディ１００から交換レンズ２００までの各端子の接続態様を示す模式図である。
【図４】ボディ側マウント部１０１の正面図である。
【図５】Ｂマウント部３０１ａの正面図である。
【図６】Ｌマウント部３０１ｂの正面図である。
【図７】レンズ側マウント部２０１の正面図である。
【図８】コマンドデータ通信の例を示すタイミングチャートである。
【図９】ホットライン通信の例を示すタイミングチャートである。
【図１０】本発明を適用したレンズ交換式のカメラシステムを示した断面図である。
【図１１】カメラボディ１００から交換レンズ２００までの各端子の接続態様を示す模式図である。
【図１２】Ｂマウント部３０１ａの正面図である。
【図１３】Ｂマウント部３０１ａの正面図である。
【図１４】Ｂマウント部３０１ａの正面図である。
【図１５】第８ボディ対応接続端子ＸＰ８の正面図および断面図である。
【図１６】本発明を適用したレンズ交換式のカメラシステムを示した斜視図である。
【図１７】本発明を適用したレンズ交換式のカメラシステムを示した断面図である。
【図１８】カメラボディ１００から交換レンズ２００までの各端子の接続態様を示す模式図である。
【発明を実施するための形態】
【０００８】
（第１の実施の形態）
図１は、本発明を適用したレンズ交換式のカメラシステムを示した斜視図である。なお、図１では本発明に係わる機器および装置のみを示し、それ以外の機器および装置については図示と説明を省略する。カメラシステム１は、カメラボディ１００と、交換レンズ２００と、カメラボディ１００および交換レンズ２００の間に装着されるアクセサリである中間アダプタ３００とから構成される。
【０００９】
カメラボディ１００には中間アダプタ３００が着脱可能に取り付けられるボディ側マウント部１０１が設けられている。ボディ側マウント部１０１の近傍（ボディ側マウント部１０１の内周側）の位置には、ボディ側マウント部１０１の内周側に部分的に突出する状態で、１２個のボディ側接続端子を保持する保持部（電気的な接続部）１０２が設けられている。
【００１０】
また交換レンズ２００には、中間アダプタ３００が着脱可能に取り付けられるレンズ側マウント部２０１が設けられている。レンズ側マウント部２０１の近傍（レンズ側マウント部２０１の内周側）の位置には、レンズ側マウント部２０１の内周側に部分的に突出する状態で、１２個のレンズ側接続端子を保持する保持部（電気的な接続部）２０２が設けられている。
【００１１】
中間アダプタ３００は円柱形の筐体を有しており、一方の底面にはボディ対応マウント部３０１ａ（以下、Ｂマウント部３０１ａと称する）が、他方の底面にはレンズ対応マウント部３０１ｂ（以下、Ｌマウント部３０１ｂと称する）がそれぞれ設けられている。Ｂマウント部３０１ａはボディ側マウント部１０１に対応しており、カメラボディ１００を着脱可能に取り付けることができる。同様に、Ｌマウント部３０１ｂはレンズ側マウント部２０１に対応しており、交換レンズ２００を着脱可能に取り付けることができる。なお、中間アダプタ３００の形状は円柱に限定されない。
【００１２】
Ｂマウント部３０１ａの近傍（Ｂマウント部３０１ａの内周側）の位置には、Ｂマウント部３０１ａの内周側に部分的に突出する状態で、１２個のボディ対応接続端子を保持するボディ対応接続端子保持部３０２ａ（以下、Ｂ保持部３０２ａと称する）が設けられている。また、Ｌマウント部３０１ｂの近傍（Ｌマウント部３０１ｂの内周側）の位置には、Ｌマウント部３０１ｂの内周側に部分的に突出する状態で、１２個のレンズ対応接続端子を保持するレンズ対応接続端子保持部３０２ｂ（以下、Ｌ保持部３０２ｂと称する）が設けられている。
【００１３】
中間アダプタ３００にカメラボディ１００が装着されると、保持部１０２に設けられている複数のボディ側接続端子が、Ｂ保持部３０２ａに設けられている複数のボディ対応接続端子と電気的に且つ物理的に接続される。また、中間アダプタ３００に交換レンズ２００が装着されると、複数のレンズ側接続端子が設けられた保持部２０２に設けられている複数のレンズ側接続端子が、Ｌ保持部３０２ｂに設けられている複数のレンズ側接続端子と電気的に且つ物理的に接続される。これらの端子は、カメラボディ１００から中間アダプタ３００を介した交換レンズ２００への電力供給、および、カメラボディ１００と交換レンズ２００との中間アダプタ３００を介した信号の送受信に利用される。保持部１０２、保持部２０２、Ｂ保持部３０２ａ、およびＬ保持部３０２ｂの詳細は後述する。
【００１４】
カメラボディ１００内のボディ側マウント部１０１後方には撮像素子１０４が設けられる。カメラボディ１００の上方には、入力装置たるボタン１０５が設けられている。ユーザはボタン１０５等の入力装置を用いてカメラボディ１００に撮影指示や撮影条件の設定指示等を行う。
【００１５】
図２は、本発明を適用したレンズ交換式のカメラシステムを示した断面図である。交換レンズ２００は、被写体像を結像させる結像光学系２１０を備える。結像光学系２１０は複数のレンズ２１０ａ〜２１０ｃにより構成されている。これら複数のレンズ２１０ａ〜２１０ｃには、被写体像のピント位置を制御するためのフォーカシングレンズ２１０ｂが含まれている。
【００１６】
交換レンズ２００内部には、交換レンズ２００の各部の制御を司るレンズ制御部２０３が設けられている。レンズ制御部２０３は不図示のマイクロコンピュータおよびその周辺回路等から構成される。レンズ制御部２０３には、レンズ側第１通信部２１７、レンズ側第２通信部２１８、レンズ駆動部２１２、レンズ位置検出部２１３、ＲＯＭ２１５、およびＲＡＭ２１６が接続されている。
【００１７】
レンズ側第１通信部２１７およびレンズ側第２通信部２１８は、保持部１０２に設けられたレンズ側接続端子を介してカメラボディ１００とのデータの授受を行う。このレンズ側第１通信部２１７とレンズ側第２通信部２１８はそれぞれ、交換レンズ側の通信インターフェースである。レンズ制御部２０３はこれら通信インターフェースを使って、カメラボディ１００（後述するボディ制御部１０３）との間で後述する各通信（ホットライン通信、コマンドデータ通信）を行う。
【００１８】
レンズ駆動部２１２は例えばステッピングモータ等のアクチュエータを有し、レンズ駆動部２１２に入力された信号に応じてフォーカシングレンズ２１０ｂを駆動する。レンズ位置検出部２１３は、例えばレンズ駆動部２１２が有するステッピングモータに入力された信号のパルス数を計数して、フォーカシングレンズ２１０ｂの位置を検出する。あるいは、交換レンズ２００に設けられた周知の距離エンコーダ等を用いてフォーカシングレンズ２１０ｂの位置を検出してもよい。
【００１９】
なお、交換レンズ２００内に、上記フォーカシングレンズ２１０ｂ以外の被駆動部材を設けていても良い。例えば、上記フォーカシングレンズ２１０ｂと同様に、交換レンズ（結像光学系２１０）の光軸方向に移動可能な部材としてズームレンズを備え、そのズームレンズを電気的に駆動する機構（パワーズーム機構）を、交換レンズ２００内に設けても良い。また結像光学系２１０の光軸方向とは垂直な方向の成分（Ｘ，Ｙ方向成分）を含む移動方向に移動可能なブレ補正レンズを含み、そのブレ補正レンズを駆動することにより像振れの補正を行うブレ補正機構を、交換レンズ２００内に設けても良い。また、被写体光束の通過する絞り開口の大きさを変更するように移動可能な絞り部材（絞り羽根）の駆動を制御する絞り電動機構を、交換レンズ２００内に設けても良い。このような被駆動部材が設けられている場合には、レンズ制御部２０３が、レンズ駆動部２１２およびレンズ位置検出部２１３を用いて、ブレ補正レンズ、絞り部材、ズームレンズそれぞれの、駆動や位置検出を制御する。
【００２０】
ＲＯＭ２１５は不揮発性の記憶媒体であり、レンズ制御部２０３が実行する所定の制御プログラム等が予め記憶される。ＲＡＭ２１６は揮発性の記憶媒体であり、レンズ制御部２０３により各種データの記憶領域として利用される。
【００２１】
中間アダプタ３００の内部には、結像光学系２１０の光軸ＡＸと同一の光軸上に、レンズ３１０が設けられている。レンズ３１０は、交換レンズ２００が有する結像光学系２１０を透過した被写体光をカメラボディ１００に出射する光学部材である。レンズ３１０により、結像光学系２１０の焦点距離はレンズ３１０がない場合に比べ所定割合だけ大きくなる。つまり、本実施形態の中間アダプタ３００は、いわゆるテレコンバージョンレンズである。なお、レンズ３１０はなくてもよい。レンズ３１０がない場合、中間アダプタ３００は一般的なアダプタとなる。
【００２２】
撮像素子１０４の前面には、撮像素子１０４の露光状態を制御するためのシャッター１１５と、光学的ローパスフィルターや赤外線カットフィルターを組み合わせた光学フィルター１１６とが設けられている。結像光学系２１０を透過した被写体光は、シャッター１１５およびフィルター１１６を介して撮像素子１０４に入射する。
【００２３】
カメラボディ１００内部には、カメラボディ１００の各部の制御を司るボディ制御部１０３が設けられている。ボディ制御部１０３は不図示のマイクロコンピュータ、ＲＡＭおよびその周辺回路等から構成される。
【００２４】
ボディ制御部１０３には、ボディ側第１通信部１１７およびボディ側第２通信部１１８が接続されている。ボディ側第１通信部１１７は保持部１０２に接続されており、レンズ側第１通信部２１７とデータの授受を行うことができる。同様に、ボディ側第２通信部１１８はレンズ側第２通信部２１８とデータの授受を行うことができる。換言すれば、ボディ側第１通信部１１７とボディ側第２通信部１１８はそれぞれ、ボディ側の通信インターフェースである。ボディ制御部１０３はこれら通信インターフェースを使って、交換レンズ２００（レンズ制御部２０３）との間で、後述する各通信（ホットライン通信、コマンドデータ通信）を行う。
【００２５】
カメラボディ１００の背面には、ＬＣＤパネル等により構成される表示装置１１１が配置される。ボディ制御部１０３はこの表示装置１１１に対し、撮像素子１０４の出力に基づく被写体の画像（いわゆるスルー画）や、撮影条件等を設定するための各種のメニュー画面を表示する。
【００２６】
（保持部の説明）
図３はカメラボディ１００から交換レンズ２００までの各端子の接続態様を示す模式図である。図３に示すように、カメラボディ１００の保持部１０２には、１２個のボディ側接続端子ＢＰ１〜ＢＰ１２が存在する。また中間アダプタ３００のＢ保持部３０２ａには、上記の１２個のボディ側接続端子ＢＰ１〜ＢＰ１２にそれぞれ対応する、１２個のボディ対応接続端子ＸＰ１〜ＸＰ１２が存在する。
【００２７】
中間アダプタ３００のＬ保持部３０２ｂには、１２個のレンズ対応接続端子ＹＰ１〜ＹＰ１２が存在する。Ｌ保持部３０２ｂに設けられた１２個のレンズ対応接続端子ＹＰ１〜ＹＰ１２は、Ｂ保持部３０２ａに設けられた１２個のボディ対応接続端子ＸＰ１〜ＸＰ１２とそれぞれ接続されている。また、交換レンズ２００の保持部２０２には、上記の１２個のレンズ対応接続端子ＹＰ１〜ＹＰ１２にそれぞれ対応する、１２個のレンズ側接続端子ＬＰ１〜ＬＰ１２が存在する。
【００２８】
第１１ボディ側接続端子ＢＰ１１および第１２ボディ側接続端子ＢＰ１２は、カメラボディ１００内の第１電源回路１３０に接続されている。第１電源回路１３０は、第１１ボディ側接続端子ＢＰ１１に、レンズ駆動部２１２を除く交換レンズ２００内の各部の動作電圧を供給する。すなわち、第１１ボディ側接続端子ＢＰ１１および第１１レンズ側接続端子ＬＰ１１からは、レンズ駆動部２１２を除く交換レンズ２００内の各部（レンズ側第１通信部２１７およびレンズ側第２通信部２１８を含む）の動作電圧が供給される。この第１１ボディ側接続端子ＢＰ１１に供給可能な電圧値は、最小電圧値〜最大電圧値の範囲（例えば３Ｖ台での電圧幅）をもつが、標準的に供給される電圧値はその最大電圧値と最小電圧値の中間値近傍の電圧値である。そしてこれにより、カメラボディ１００側から交換レンズ２００側に供給される電流値は、電源ＯＮ状態において、約数１０ｍＡ〜数１００ｍＡの範囲内の電流値である。
【００２９】
第１２ボディ側接続端子ＢＰ１２は、第１１ボディ側接続端子ＢＰ１１に与えられる上記動作電圧に対応する接地端子である。すなわち、第１２ボディ側接続端子ＢＰ１２および第１２レンズ側接続端子ＬＰ１２は、上記の動作電圧に対応する接地端子である。
【００３０】
以下の説明では、第１１ボディ側接続端子ＢＰ１１および第１１レンズ側接続端子ＬＰ１１により構成される信号線を、信号線Ｖ３３と呼ぶ。また、第１２ボディ側接続端子ＢＰ１２および第１２レンズ側接続端子ＬＰ１２により構成される信号線を、信号線ＧＮＤと呼ぶ。第１１レンズ側接続端子ＬＰ１１、第１２レンズ側接続端子ＬＰ１２、第１１ボディ側接続端子ＢＰ１１、および第１２ボディ側接続端子ＢＰ１２は、カメラボディ１００側から交換レンズ２００側へ電源供給するための、電源系端子を構成する。
【００３１】
第３ボディ側接続端子ＢＰ３、第４ボディ側接続端子ＢＰ４、第５ボディ側接続端子ＢＰ５、および第８ボディ側接続端子ＢＰ８は、ボディ側第１通信部１１７に接続されている。これらのボディ側接続端子に対応する交換レンズ２００側の第３レンズ側接続端子ＬＰ３、第４レンズ側接続端子ＬＰ４、第５レンズ側接続端子ＬＰ５、および第８レンズ側接続端子ＬＰ８は、レンズ側第１通信部２１７に接続されている。ボディ側第１通信部１１７とレンズ側第１通信部２１７は、これらの端子（通信系端子）を用いて、互いにデータの送受信を行う。ボディ側第１通信部１１７とレンズ側第１通信部２１７が行う通信の内容については、後に詳述する。
【００３２】
なお以下の説明では、第３ボディ側接続端子ＢＰ３および第３レンズ側接続端子ＬＰ３により構成される信号線を、信号線ＣＬＫと呼ぶ。同様に、第４ボディ側接続端子ＢＰ４および第４レンズ側接続端子ＬＰ４により構成される信号線を信号線ＢＤＡＴと、第５ボディ側接続端子ＢＰ５および第５レンズ側接続端子ＬＰ５により構成される信号線を信号線ＬＤＡＴと、第８ボディ側接続端子ＢＰ８および第８レンズ側接続端子ＬＰ８により構成される信号線を信号線ＲＤＹと呼ぶ。
【００３３】
第９ボディ側接続端子ＢＰ９、第１０ボディ側接続端子ＢＰ１０、第６ボディ側接続端子ＢＰ６、および第７ボディ側接続端子ＢＰ７は、ボディ側第２通信部１１８に接続されている。これらのボディ側接続端子に対応する交換レンズ２００側の第９レンズ側接続端子ＬＰ９、第１０レンズ側接続端子ＬＰ１０、第６レンズ側接続端子ＬＰ６、および第７レンズ側接続端子ＬＰ７は、レンズ側第２通信部２１８に接続されている。レンズ側第２通信部２１８は、これらの端子（通信系端子）を用いて、ボディ側第２通信部１１８にデータの送信を行う。ボディ側第２通信部１１８とレンズ側第２通信部２１８が行う通信の内容については、後に詳述する。
【００３４】
なお以下の説明では、第９ボディ側接続端子ＢＰ９および第９レンズ側接続端子ＬＰ９により構成される信号線を、信号線ＨＲＥＱと呼ぶ。同様に、第１０ボディ側接続端子ＢＰ１０および第１０レンズ側接続端子ＬＰ１０により構成される信号線を信号線ＨＡＮＳと、第６ボディ側接続端子ＢＰ６および第６レンズ側接続端子ＬＰ６により構成される信号線を信号線ＨＣＬＫと、第７ボディ側接続端子ＢＰ７および第７レンズ側接続端子ＬＰ７により構成される信号線を信号線ＨＤＡＴと呼ぶ。
【００３５】
第１ボディ側接続端子ＢＰ１および第２ボディ側接続ＢＰ２は、カメラボディ１００内の第２電源回路１４０に接続されている。第２電源回路１４０は、第１ボディ側接続端子ＢＰ１に、レンズ駆動部２１２の駆動電圧を供給する。すなわち、第１ボディ側接続端子ＢＰ１および第１レンズ側接続端子ＬＰ１からは、レンズ駆動部２１２の駆動電圧が供給される。この第１ボディ側接続端子ＢＰ１に供給可能な電圧値は、最小電圧値〜最大電圧値の範囲をもつが、その範囲はいずれも、前述した第１１ボディ側接続端子ＢＰ１１に供給可能な電圧値範囲よりも大きい電圧値である（例えば、第１ボディ側接続端子ＢＰ１に供給可能な最大電圧値は、第１１ボディ側接続端子ＢＰ１１に供給可能な最大電圧値の数倍程度）。即ち第１ボディ側接続端子ＢＰ１に供給される電圧値は、上述の第１１ボディ側接続端子ＢＰ１１に供給される電圧値とは、その大きさが異なる電圧値である。なお第１ボディ側接続端子ＢＰ１に標準的に供給される電圧値は、第１ボディ側接続端子ＢＰ１に供給可能な最大電圧値と最小電圧値の中間値近傍の電圧値である。そしてこれにより、カメラボディ１００側から交換レンズ２００側に供給される電流は、電源ＯＮ状態において、約１０ｍＡ〜数Ａの電流値となる。
【００３６】
第２ボディ側接続端子ＢＰ２は、第１ボディ側接続端子ＢＰ１に与えられる上記駆動電圧に対応する接地端子である。すなわち、第２ボディ側接続端子ＢＰ２および第２レンズ側接続端子ＬＰ２は、上記駆動電圧に対応する接地端子である。
【００３７】
以下の説明では、第１ボディ側接続端子ＢＰ１および第１レンズ側接続端子ＬＰ１により構成される信号線を、信号線ＢＡＴと呼ぶ。また、第２ボディ側接続端子ＢＰ２および第２レンズ側接続端子ＬＰ２により構成される信号線を、信号線ＰＧＮＤと呼ぶ。すなわち、第１ボディ側接続端子ＢＰ１、第１レンズ側接続端子ＬＰ１、第２ボディ側接続端子ＢＰ２、および第２レンズ側接続端子ＬＰ２は、カメラボディ１００側から交換レンズ２００側へ電源供給するための、電源系端子を構成する。
【００３８】
なお、上述の第１ボディ側接続端子ＢＰ１、第１レンズ側接続端子ＬＰ１に供給される電圧値（電流値）と、第１１ボディ側接続端子ＢＰ１１、第１１レンズ側接続端子ＬＰ１１に供給される電圧値（電流値）との大小関係から明らかなように、それら各端子に供給される電圧にそれぞれに対する接地端子となる第２ボディ側接続端子ＢＰ２および第２レンズ側接続端子ＬＰ２を流れる電流の最大値と最小値との差は、第１２ボディ側接続端子ＢＰ１２および第１２レンズ側接続端子ＬＰ１２を流れる電流の最大値と最小値との差よりも大きくなっている。これは、アクチュエータ等の駆動系を有するレンズ駆動部２１２が消費する電力が、交換レンズ２００内のレンズ制御部２０３等の電子回路に比べて大きいこと、ならびに、フォーカシングレンズ２１０ｂを駆動する必要がない場合にはレンズ駆動部２１２が電力を消費しないことに拠る。
【００３９】
図４は、ボディ側マウント部１０１の正面図である。図４（ａ）は、カメラボディ１００のボディ側マウント部１０１を中間アダプタ３００側から見た図であり、図４（ｂ）は図４（ａ）のうち保持部１０２を拡大した図である。また、図５は、図４に示したボディ側マウント部１０１に対応する、中間アダプタ３００のＢマウント部３０１ａの正面図である。図５（ａ）にはＢマウント部３０１ａをカメラボディ１００側から見た様子が、図５（ｂ）には図５（ａ）のうちＢ保持部３０２ａを拡大した様子がそれぞれ示されている。各マウント部は円形の形状を有しており、以下の説明ではその円の中心（光軸ＡＸの位置）をマウント中心点Ｏ１と称する。
【００４０】
図４（ａ）に示すように、ボディ側マウント部１０１のマウント面よりも奥まった場所（図４（ａ）における紙面奥方向）には、保持部１０２が配置されている。また、図５（ａ）に示すように、Ｂマウント部３０１ａのマウント面よりも突出した場所（図５（ａ）における紙面手前方向）には、Ｂ保持部３０２ａが配置されている。ボディ側マウント部１０１のマウント面とＢマウント部３０１ａのマウント面とを接触させ、カメラボディ１００と中間アダプタ３００とを結合させると、保持部１０２とＢ保持部３０２ａとが接続され、両保持部に設けられている１２個のボディ側接続端子ＢＰ１〜ＢＰ１２と１２個のボディ対応接続端子ＸＰ１〜ＸＰ１２とが互いに接続することとなる。
【００４１】
なお、図４および図５において、１２個のボディ側接続端子ＢＰ１〜ＢＰ１２および１２個のボディ対応接続端子ＸＰ１〜ＸＰ１２の上に描画されている一点鎖線は、カメラボディ１００と中間アダプタ３００との結合時における１２個のボディ側接続端子ＢＰ１〜ＢＰ１２の軌跡を表している。この一点鎖線が表している通り、これら１２個のボディ側接続端子ＢＰ１〜ＢＰ１２は、上記結合時にマウント中心点Ｏ１を中心とした円周上を移動する。このようなマウント構造については周知であるので、これ以上の説明を省略する。
【００４２】
図４（ａ）に示すように、１２個のボディ側接続端子ＢＰ１〜ＢＰ１２はそれぞれ円筒形の形状を有しており、保持部１０２の内部に設けられたバネ等により、ボディ側マウント部１０１の正面方向（中間アダプタ３００の方向）に付勢されている。また図５（ａ）に示すように、１２個のボディ対応接続端子ＸＰ１〜ＸＰ１２はそれぞれＢ保持部３０２ａの表面に略矩形の導体が露出する形状を有している。保持部１０２がＢ保持部３０２ａに接続されると、各ボディ側接続端子は上記の付勢により各ボディ対応接続端子に押圧され、ボディ対応接続端子とボディ側接続端子とが電気的に導通する。なお図５（ａ）および図５（ｂ）において、１２個のボディ対応接続端子ＸＰ１〜ＸＰ１２に重ねて描画されている円は、対応するボディ側接続端子の押圧位置を示す円である。
【００４３】
以下の説明において、１２個のボディ対応接続端子ＸＰ１〜ＸＰ１２の各々について、接続端子全体のうちカメラボディ１００と中間アダプタ３００との結合時にボディ側接続端子と接触する領域（図５（ａ）に円で示した領域）を、当該ボディ対応接続端子の接触部と称する。ここでの結合時とは、レンズ側接続端子ＬＰ１１に第１１ボディ側接続端子ＢＰ１１から電圧が供給されている時のことをいう。なお本実施形態においてボディ対応接続端子とは、図５（ａ）に斜線で塗りつぶして示したＢ保持部３０２ａの表面に露出する略矩形の領域（接触部を含む）だけではなく、この略矩形領域とレンズ対応接続端子とを接続する電気配線（リード線やフレキシブルケーブル等）を含む呼称である。また、上述しているような斜線で塗りつぶして示した保持部３０２aの表面に露出する領域のことを、以降、ボディ対応接続端子ＸＰ１〜ＸＰ１２の露出領域と呼称することがある。以下の説明において、「ボディ対応接続端子の中心部」とは、図５（ｂ）に黒い点で図示したように、当該ボディ対応接続端子の露出領域の中心のことを指す。なお、露出領域については、後で、図１５を用いて詳細に説明する。
【００４４】
図５（ａ）に示すように、Ｂマウント部３０１ａのＢ保持部３０２ａには、１２個のボディ対応接続端子ＸＰ１〜ＸＰ１２（の露出領域）が、Ｂマウント部３０１ａに沿った方向（外観形状が略円形状のＢマウント部３０１ａの一部分に沿うような円弧方向）にマウント中心点Ｏ１を中心として円弧状（円弧形状）に配置されている。
【００４５】
本実施形態ではこれら１２個のボディ対応接続端子ＸＰ１〜ＸＰ１２（の露出領域）は各々の接触部が等間隔になるよう配置されており、円弧（マウント中心点Ｏ１と、第１ボディ対応接続端子ＸＰ１の（露出領域の）中心および第１１ボディ対応接続端子ＸＰ１１の（露出領域の）中心をそれぞれ結ぶ扇形）の角度θ１１は約１０５度であり、各接触部間の円弧角度θ０はそれぞれ約９．５度である。また本実施形態では、１２個のボディ対応接続端子ＸＰ１〜ＸＰ１２それぞれの円弧方向の幅は約１．５ｍｍである。またマウント中心点Ｏ１と、各ボディ対応接続端子ＸＰ１〜ＸＰ１２の接触部中心までの距離は約１５ｍｍであるので、各ボディ対応接続端子ＸＰ１〜ＸＰ１２の中心間の円弧方向における距離は約２．５ｍｍとなる。そして各ボディ対応接続端子ＸＰ１〜ＸＰ１２の円弧方向の幅は約１ｍｍであるので、各ボディ対応接続端子ＸＰ１〜ＸＰ１２間の円弧方向のクリアランスは約１ｍｍである。
【００４６】
なお、各ボディ対応接続端子ＸＰ１〜ＸＰ１２の（露出領域の）幅やクリアランスについては、適宜変更可能である。例えば各ボディ対応接続端子ＸＰ１〜ＸＰ１２の円弧方向の幅を１／１０ｍｍ単位（コンマ数ミリメートル単位）で大きくしたり小さくしたりしても良く、それに応じてクリアランスの円弧方向の幅も１／１０ｍｍ単位で（コンマ数ミリメートル単位、例えばプラスマイナス０．２ｍｍ）で適宜変更可能である。
【００４７】
以下、図５（ｂ）を基に、１２個のボディ対応接続端子ＸＰ１〜ＸＰ１２（の露出領域）同士の位置関係について説明する。第１ボディ対応接続端子ＸＰ１の接触部と第１１ボディ対応接続端子ＸＰ１１の接触部とがマウント中心点Ｏ１に対して成す内角θ１１は、１２個のボディ対応接続端子ＸＰ１〜ＸＰ１２から任意に選択された２つのボディ対応接続端子の接触部がマウント中心点Ｏ１に対して成す内角の中で最も大きい。
【００４８】
第１１ボディ対応接続端子ＸＰ１１の接触部と第１２ボディ対応接続端子ＸＰ１２の接触部とがマウント中心点Ｏ１に対して成す内角θ１は、第１ボディ対応接続端子ＸＰ１から第１０ボディ対応接続端子ＸＰ１０のうちいずれか１つのボディ対応接続端子の接触部と第１１ボディ対応接続端子ＸＰ１１の接触部とがマウント中心点Ｏ１に対して成す内角θ２〜θ１１より小さい。第３ボディ対応接続端子ＸＰ３の接触部と第１１ボディ対応接続端子ＸＰ１１の接触部とがマウント中心点Ｏ１に対して成す内角θ２は、第１ボディ対応接続端子ＸＰ１、第２ボディ対応接続端子ＸＰ２、および第４ボディ対応接続端子ＸＰ４から第１０ボディ対応接続端子ＸＰ１０のうちいずれか１つのボディ対応接続端子の接触部と第１１ボディ対応接続端子ＸＰ１１の接触部とがマウント中心点Ｏ１に対して成す内角θ３〜θ１１より小さい。
【００４９】
第４ボディ対応接続端子ＸＰ４の接触部と第１１ボディ対応接続端子ＸＰ１１の接触部とがマウント中心点Ｏ１に対して成す内角θ３は、第１ボディ対応接続端子ＸＰ１、第２ボディ対応接続端子ＸＰ２、および第５ボディ対応接続端子ＸＰ５から第１０ボディ対応接続端子ＸＰ１０のうちいずれか１つのボディ対応接続端子の接触部と第１１ボディ対応接続端子ＸＰ１１の接触部とがマウント中心点Ｏ１に対して成す内角θ４〜θ１１より小さい。第５ボディ対応接続端子ＸＰ５の接触部と第１１ボディ対応接続端子ＸＰ１１の接触部とがマウント中心点Ｏ１に対して成す内角θ４は、第１ボディ対応接続端子ＸＰ１、第２ボディ対応接続端子ＸＰ２、および第６ボディ対応接続端子ＸＰ６から第１０ボディ対応接続端子ＸＰ１０のうちいずれか１つのボディ対応接続端子の接触部と第１１ボディ対応接続端子ＸＰ１１の接触部とがマウント中心点Ｏ１に対して成す内角θ５〜θ１１より小さい。
【００５０】
第８ボディ対応接続端子ＸＰ８の接触部と第１１ボディ対応接続端子ＸＰ１１の接触部とがマウント中心点Ｏ１に対して成す内角θ５は、第１ボディ対応接続端子ＸＰ１、第２ボディ対応接続端子ＸＰ２、第６ボディ対応接続端子ＸＰ６、第７ボディ対応接続端子ＸＰ７、第９ボディ対応接続端子、および第１０ボディ対応接続端子ＸＰ１０のうちいずれか１つのボディ対応接続端子の接触部と第１１ボディ対応接続端子ＸＰ１１の接触部とがマウント中心点Ｏ１に対して成す内角θ６〜θ１１より小さい。第９ボディ対応接続端子ＸＰ９の接触部と第１１ボディ対応接続端子ＸＰ１１の接触部とがマウント中心点Ｏ１に対して成す内角θ６は、第１ボディ対応接続端子ＸＰ１、第２ボディ対応接続端子ＸＰ２、第６ボディ対応接続端子ＸＰ６、第７ボディ対応接続端子ＸＰ７、および第１０ボディ対応接続端子ＸＰ１０のいずれかのボディ対応接続端子の接触部と第１１ボディ対応接続端子ＸＰ１１の接触部とがマウント中心点Ｏ１に対して成す内角θ７〜θ１１より小さい。
【００５１】
第１０ボディ対応接続端子ＸＰ１０の接触部と第１１ボディ対応接続端子ＸＰ１１の接触部とがマウント中心点Ｏ１に対して成す内角θ７は、第１ボディ対応接続端子ＸＰ１、第２ボディ対応接続端子ＸＰ２、第６ボディ対応接続端子ＸＰ６、および第７ボディ対応接続端子ＸＰ７のうちいずれか１つのボディ対応接続端子の接触部と第１１ボディ対応接続端子ＸＰ１１の接触部とがマウント中心点Ｏ１に対して成す内角θ８〜θ１１より小さい。第６ボディ対応接続端子ＸＰ６の接触部と第１１ボディ対応接続端子ＸＰ１１の接触部とがマウント中心点Ｏ１に対して成す内角θ８は、第１ボディ対応接続端子ＸＰ１、第２ボディ対応接続端子ＸＰ２、および第７ボディ対応接続端子ＸＰ７のうちいずれか１つのボディ対応接続端子の接触部と第１１ボディ対応接続端子ＸＰ１１の接触部とがマウント中心点Ｏ１に対して成す内角θ９〜θ１１より小さい。
【００５２】
第７ボディ対応接続端子ＸＰ７の接触部と第１１ボディ対応接続端子ＸＰ１１の接触部とがマウント中心点Ｏ１に対して成す内角θ９は、第１ボディ対応接続端子ＸＰ１および第２ボディ対応接続端子ＸＰ２のうちいずれか１つのボディ対応接続端子の接触部と第１１ボディ対応接続端子ＸＰ１１の接触部とがマウント中心点Ｏ１に対して成す内角θ１０、θ１１より小さい。第２ボディ対応接続端子ＸＰ２の接触部と第１１ボディ対応接続端子ＸＰ１１の接触部とがマウント中心点Ｏ１に対して成す内角θ１０は、第１ボディ対応接続端子ＸＰ１の接触部と第１１ボディ対応接続端子ＸＰ１１の接触部がマウント中心点Ｏ１に対して成す内角θ１１より小さい。
【００５３】
１２個のボディ対応接続端子ＸＰ１〜ＸＰ１２（の露出領域）は、以上のような位置関係でＢ保持部３０２ａに配置されている。なお、通信系の端子（通信系端子）である第３ボディ対応接続端子ＸＰ３〜第１０ボディ対応接続端子ＸＰ１０と、電源系の端子のうち、電源電圧（既述した動作電圧や駆動電圧）を供給する第１ボディ対応接続端子ＸＰ１および第１１ボディ対応接続端子ＸＰ１１との間に、それらの接地端子（グランド端子）である第２ボディ対応接続端子ＸＰ２および第１２ボディ対応接続端子ＸＰ１２を配置する構成としたのは、電源系の端子（信号線）が通信系の端子（信号線）に及ぼす影響を最小限に抑えるためである。
【００５４】
交換レンズ２００に電源電圧を供給する信号線（第１ボディ対応接続端子ＸＰ１や第１１ボディ対応接続端子ＸＰ１１を含む信号線）は、電源電圧の供給先での負荷変動に応じて大きな電圧変化を生じる。この大きな電圧変化が通信系の信号線に悪影響を及ぼす場合がある。この悪影響を抑制するために、本実施形態では、電源端子（第１ボディ対応接続端子ＸＰ１や第１１ボディ対応接続端子ＸＰ１１）よりも電圧変化の安定している接地端子（第２ボディ対応接続端子ＸＰ２および第１２ボディ対応接続端子ＸＰ１２）を、通信系端子（第３ボディ対応接続端子ＸＰ３〜第１０ボディ対応接続端子ＸＰ１０）と電源端子（第１ボディ対応接続端子ＸＰ１および第１１ボディ対応接続端子ＸＰ１１）との間に介在配置させている。
【００５５】
レンズ側第１通信部２１７に接続されている第３ボディ対応接続端子ＸＰ３、第４ボディ対応接続端子ＸＰ４、第５ボディ対応接続端子ＸＰ５、および第８ボディ対応接続端子ＸＰ８と、レンズ側第２通信部２１８に接続されている第９ボディ対応接続端子ＸＰ９、第１０ボディ対応接続端子ＸＰ１０、第６ボディ対応接続端子ＸＰ６、および第７ボディ対応接続端子ＸＰ７とは互いに隣に配置されているが、レンズ側第１通信部２１７の第３ボディ対応接続端子ＸＰ３、第４ボディ対応接続端子ＸＰ４、および第５ボディ対応接続端子ＸＰ５とレンズ側第２通信部２１８の第６ボディ対応接続端子ＸＰ６および第７ボディ対応接続端子ＸＰ７とは、互いに異なる（他方の）通信部（２１７、または２１８）に接続されている端子の隣に配置させないよう構成している。すなわち、異なる（他方の）通信部に接続されている端子に近い位置には、第８ボディ対応接続端子ＸＰ８、第９ボディ対応接続端子ＸＰ９、および第１０ボディ対応接続端子ＸＰ１０がまとめて配置されている。これは、後述するように、第８ボディ対応接続端子ＸＰ８、第９ボディ対応接続端子ＸＰ９、および第１０ボディ対応接続端子ＸＰ１０には、クロック信号に同期しない信号（クロック信号やそれに同期する信号に比して比較的に変化の少ない信号、例えば単位時間当たりの状態変化が１ｋＨｚ〜数ｋＨｚ程度の信号）を伝達するためである。一般にクロック信号やそれに同期する信号は単位時間当たりの変化が数ＭＨｚ程度と激しいため（一例としてクロック信号が８ＭＨｚで、それに同期するデータ信号が（データ量にも拠るが）４ＭＨｚのケース等）、雑音源となりやすい。従って、このような端子は通信に及ぼす影響を最小限にするために、異なる（他方の）通信部に接続されている端子から互いに離して配置することが望ましい。そこで本実施形態では、レンズ側第１通信部２１７内においてクロック信号およびそれに同期する信号を伝達する端子群（第３ボディ対応接続端子ＸＰ３、第４ボディ対応接続端子ＸＰ４、および第５ボディ対応接続端子ＸＰ５）と、レンズ側第２通信部２１８内においてクロック信号およびそれに同期する信号を伝達する端子群（第６ボディ対応接続端子ＸＰ６および第７ボディ対応接続端子ＸＰ７）との間に、クロック信号に同期しない信号を伝達する端子群（第８ボディ対応接続端子ＸＰ８、第９ボディ対応接続端子ＸＰ９、および第１０ボディ対応接続端子ＸＰ１０）を介在させる端子配置を採用している。
【００５６】
第９ボディ対応接続端子ＸＰ９、第１０ボディ対応接続端子ＸＰ１０、第６ボディ対応接続端子ＸＰ６、および第７ボディ対応接続端子ＸＰ７は第２電源回路１４０寄りに、第３ボディ対応接続端子ＸＰ３、第４ボディ対応接続端子ＸＰ４、第５ボディ対応接続端子ＸＰ５、および第８ボディ対応接続端子ＸＰ８は第１電源回路１３０寄りに、それぞれ配置されている。これは、ボディ対応接続端子ＸＰ９、ＸＰ１０、ＸＰ６、ＸＰ７の方が、雑音による影響が小さいためである。第２電源回路１４０はレンズ駆動部２１２に電力を供給するが、レンズ駆動部２１２の消費電力はフォーカシングレンズ２１０ｂを駆動している場合とそうでない場合とで激しく変化する。したがって、第２ボディ対応接続端子ＸＰ２を流れる電流の大きさは激しく変化し、隣接する通信系の端子に及ぼす影響は第１２ボディ対応接続端子ＸＰ１２よりも大きい。しかし後述するように、ボディ対応接続端子ＸＰ９、ＸＰ１０、ＸＰ６、およびＸＰ７を用いて行われる通信は、ボディ対応接続端子ＸＰ３、ＸＰ４、ＸＰ５、およびＸＰ８を用いて行われる通信よりも周期が短いので（ボディ対応接続端子ＸＰ９、ＸＰ１０、ＸＰ６、およびＸＰ７を用いる通信の周期は、ボディ対応接続端子ＸＰ３、ＸＰ４、ＸＰ５、およびＸＰ８を用いる通信の周期の１／１０以下程度の周期である。後述するが本実施形態ではボディ対応接続端子ＸＰ９、ＸＰ１０、ＸＰ６、およびＸＰ７を用いる通信は１ｍｓｅｃ周期で行われ、ボディ対応接続端子ＸＰ３、ＸＰ４、ＸＰ５、およびＸＰ８を用いる通信は１６ｍｓｅｃ周期で行われる）、仮に第２ボディ対応接続端子ＸＰ２の影響で通信が失敗したとしても、速やかに通信をやり直すことができる。つまり、ボディ対応接続端子ＸＰ９、ＸＰ１０、ＸＰ６、およびＸＰ７であれば、第２ボディ対応接続端子ＸＰ２の隣に配置したとしても、ボディ対応接続端子ＸＰ３、ＸＰ４、ＸＰ５、およびＸＰ８に比べて雑音による影響が小さいといえる。
【００５７】
また、第２ボディ対応接続端子ＸＰ２は、第７ボディ対応接続端子ＸＰ７の隣に配置させている。これは、第６ボディ対応接続端子ＸＰ６よりも第７ボディ対応接続端子ＸＰ７の方が、雑音への耐性が高いためである。後述するように、第６ボディ対応接続端子ＸＰ６にはクロック信号が、第７ボディ対応接続端子ＸＰ７にはこのクロック信号に同期するデータ信号が伝送される。クロック信号は、雑音の影響を受けて立ち上がりや立ち下がりのエッジが不明瞭になってしまうと、受信側で正しく同期を取れなくなってしまう。他方、データ信号は、クロック信号の立ち上がりや立ち下がりのタイミングにおいて信号レベルのサンプリングが行われる。従って、上記のタイミングにおいて信号レベルが明確になってさえいればよく、雑音への耐性はクロック信号に比べて高いといえる。
【００５８】
なお、図４に示すカメラボディ１００側の保持部１０２に配置された１２個のボディ側接続端子ＢＰ１〜ＢＰ１２については、上述した中間アダプタ側の１２個のボディ対応接続端子ＸＰ１〜ＸＰ１２と同様であるので、説明を省略する。なお図１、図４、および図５から明らかであるように、ボディ側マウント部１０１は中間アダプタ３００のＢマウント部３０１ａと向かい合わせてから回転させて係合させる、いわゆるバヨネット式のマウント構造になっている。このため図４（ａ）および図５（ａ）に示すように、ボディ側接続端子ＢＰ１〜ＢＰ１２の並びの方向は、ボディ対応接続端子ＸＰ１〜ＸＰ１２の（露出領域の）並びの方向とは反対になっている（図５において、左端に第１１ボディ対応接続端子ＸＰ１１が配置され右端に第１ボディ対応接続端子ＸＰ１が配置されているのに対して、図４では第１１ボディ側接続端子ＢＰ１１が右端に配置され第１ボディ側接続端子ＢＰ１が左端に配置されている）。
【００５９】
図６は、中間アダプタ３００のＬマウント部３０１ｂを交換レンズ２００側から見た正面図である。Ｌマウント部３０１ｂは、図４で説明したカメラボディ１００のボディ側マウント部１０１と同様の構造を有している。すなわち、Ｌマウント部３０１ｂは円形の形状を有しており、マウント面よりも奥まった場所（図６における紙面奥方向）には、Ｌ保持部３０２ｂが配置されている。Ｌ保持部３０２ｂにはカメラボディ１００の保持部１０２と同様に、１２個のレンズ対応接続端子ＹＰ１〜ＹＰ１２が配置されているが、その配列は１２個のボディ側接続端子ＢＰ１〜ＢＰ１２とは異なっている。
【００６０】
図３に模式的に示したように、中間アダプタ３００の内部において、ボディ対応接続端子ＸＰ１〜ＸＰ１２からの配線は並び替えられ、Ｌ保持部３０２ｂに設けられたレンズ対応接続端子ＹＰ１〜ＹＰ１２と接続されている。例えば図４において、左端に第１ボディ側接続端子ＢＰ１が配置されているのに対し、図６では左端には第９レンズ対応接続端子ＹＰ９が配置されている。この第９レンズ対応接続端子ＹＰ９は第９ボディ側接続端子ＢＰ９と電気的に接続されている端子である。なお、各レンズ対応接続端子の配列が異なっていること以外はボディ側マウント部１０１と同様なので説明を省略する。
【００６１】
図７は、交換レンズ２００のレンズ側マウント部２０１を中間アダプタ３００側から見た正面図である。レンズ側マウント部２０１は、図５で説明した中間アダプタ３００のＢマウント部３０１ａと同様の構造を有している。すなわち、レンズ側マウント部２０１は円形の形状を有しており、マウント面よりも突出した場所（図７における紙面手前方向）には、保持部２０２が配置されている。保持部２０２には中間アダプタ３００のＢ保持部３０２ａと同様に、１２個のレンズ側接続端子ＬＰ１〜ＬＰ１２が配置されているが、その配列は上述したＬ保持部３０２ｂと同様に、１２個のボディ対応接続端子ＸＰ１〜ＸＰ１２とは異なっている。換言すれば、Ｌマウント部３０１ｂのマウント中心点Ｏ２に対する１２個のレンズ対応接続端子ＹＰ１〜ＹＰ１２の互いの位置関係は、Ｂマウント部３０１ａのマウント中心点Ｏ１に対する１２個のボディ対応接続端子ＸＰ１〜ＸＰ１２の互いの位置関係とは異なっている。なお、各レンズ側接続端子の配列が異なっていること以外はＢマウント部３０１ａと同様なので説明を省略する。
【００６２】
１２個のレンズ対応接続端子ＹＰ１〜ＹＰ１２はそれぞれ円筒形の形状を有しており、Ｌ保持部３０２ｂの内部に設けられたバネ等により、Ｌマウント部３０１ｂの正面方向（交換レンズ２００の方向）に付勢されている。また図７に示すように、１２個のレンズ側接続端子ＬＰ１〜ＬＰ１２はそれぞれ保持部２０２の表面に略矩形の導体が露出する形状を有している。保持部２０２がＬ保持部３０２ｂに接続されると、各レンズ対応接続端子は上記の付勢により各レンズ側接続端子に押圧され、レンズ対応接続端子とレンズ側接続端子とが電気的に導通する。以後、上述した保持部２０２の表面に露出する導体を露出する領域のことをレンズ側接続端子ＬＰ１〜ＬＰ１２の露出領域と呼称することがある。
【００６３】
（コマンドデータ通信の説明）
レンズ制御部２０３は、レンズ側第１通信部２１７を制御して、第３レンズ側接続端子ＬＰ３、第４レンズ側接続端子ＬＰ４、第５レンズ側接続端子ＬＰ５、および第８レンズ側接続端子ＬＰ８、すなわち信号線ＣＬＫ、ＢＤＡＴ、ＬＤＡＴ、およびＲＤＹを介して、ボディ側第１通信部１１７からの制御データの受信と、ボディ側第１通信部１１７への応答データの送信とを並行して、第１の所定周期（本実施形態では１６ミリ秒）で行う。以下、レンズ側第１通信部２１７とボディ側第１通信部１１７との間で行われる通信の詳細を説明する。
【００６４】
なお、本実施形態において、レンズ制御部２０３およびレンズ側第１通信部２１７と、ボディ制御部１０３およびボディ側第１通信部１１７との間で行われる通信を「コマンドデータ通信」と称する。
【００６５】
図８は、コマンドデータ通信の例を示すタイミングチャートである。ボディ制御部１０３およびボディ側第１通信部１１７は、コマンドデータ通信の開始時（Ｔ１）、まず信号線ＲＤＹの信号レベルを確認する。信号線ＲＤＹの信号レベルはレンズ側第１通信部２１７の通信可否を表している。レンズ制御部２０３およびレンズ側第１通信部２１７は、通信できない状態である場合には、第８レンズ側接続端子ＬＰ８からＨ（Ｈｉｇｈ）レベルの信号を出力する。すなわち、信号線ＲＤＹの信号レベルをＨレベルにする。ボディ制御部１０３およびボディ側第１通信部１１７は、信号線ＲＤＹがＨレベルである場合、これがＬレベルになるまで通信開始しない。また通信中の次の処理を実行しない。
【００６６】
信号線ＲＤＹがＬ（Ｌｏｗ）レベルであれば、ボディ制御部１０３およびボディ側第１通信部１１７は第３ボディ側接続端子ＢＰ３からクロック信号４０１を出力する。すなわち、信号線ＣＬＫを介してレンズ側第１通信部２１７にクロック信号４０１を伝送する。ボディ制御部１０３およびボディ側第１通信部１１７はこのクロック信号４０１に同期して、第４ボディ側接続端子ＢＰ４から制御データの前半部分であるボディ側コマンドパケット信号４０２を出力する。すなわち、信号線ＢＤＡＴを介してレンズ側第１通信部２１７にボディ側コマンドパケット信号４０２を伝送する。
【００６７】
また、信号線ＣＬＫにクロック信号４０１が出力されると、レンズ制御部２０３およびレンズ側第１通信部２１７は、クロック信号４０１に同期して第５レンズ側接続端子ＬＰ５から応答データの前半部分であるレンズ側コマンドパケット信号４０３を出力する。すなわち、信号線ＬＤＡＴを介してボディ側第１通信部１１７にレンズ側コマンドパケット信号４０３を伝送する。
【００６８】
レンズ制御部２０３およびレンズ側第１通信部２１７は、レンズ側コマンドパケット信号４０３の送信完了に応じて、信号線ＲＤＹの信号レベルをＨレベルにする（Ｔ２）。レンズ制御部２０３は、受信したボディ側コマンドパケット信号４０２の内容に応じた処理である第１制御処理４０４（後述）を開始する。
【００６９】
レンズ制御部２０３は第１制御処理４０４が完了すると、レンズ側第１通信部２１７に第１制御処理４０４の完了を通知する。レンズ側第１通信部２１７はこの通知に応じて、第８レンズ側接続端子ＬＰ８からＬレベルの信号を出力する。すなわち、信号線ＲＤＹの信号レベルをＬレベルにする（Ｔ３）。ボディ制御部１０３およびボディ側第１通信部１１７はこの信号レベルの変化に応じて、第３ボディ側接続端子ＢＰ３からクロック信号４０５を出力する。すなわち、信号線ＣＬＫを介してレンズ側第１通信部２１７にクロック信号４０５を伝送する。
【００７０】
ボディ制御部１０３およびボディ側第１通信部１１７はこのクロック信号４０５に同期して、第４ボディ側接続端子ＢＰ４から制御データの後半部分であるボディ側データパケット信号４０６を出力する。すなわち、信号線ＢＤＡＴを介してレンズ側第１通信部２１７にボディ側データパケット信号４０６を伝送する。
【００７１】
また、信号線ＣＬＫにクロック信号４０５が出力されると、レンズ制御部２０３およびレンズ側第１通信部２１７はクロック信号４０５に同期して第５レンズ側接続端子ＬＰ５から応答データの後半部分であるレンズ側データパケット信号４０７を出力する。すなわち、信号線ＬＤＡＴを介してボディ側第１通信部１１７にレンズ側データパケット信号４０７を伝送する。
【００７２】
レンズ制御部２０３およびレンズ側第１通信部２１７は、レンズ側データパケット信号４０７の送信完了に応じて、信号線ＲＤＹの信号レベルを再びＨレベルにする（Ｔ４）。レンズ制御部２０３は、受信したボディ側データパケット信号４０６の内容に応じた処理である第２制御処理４０８（後述）を開始する。
【００７３】
ここで、レンズ制御部２０３が行う第１制御処理４０４、および第２制御処理４０８について述べる。
【００７４】
例えば、受信したボディ側コマンドパケット信号４０２が、交換レンズ側の特定のデータを要求する内容であった場合について述べる。レンズ制御部２０３は、第１制御処理４０４として、コマンドパケット信号４０２の内容を解析処理すると共に、当該要求されている特定データを生成する処理を実行する。更にレンズ制御部２０３は、第１制御処理４０４として、コマンドパケット信号４０２に含まれているチェックサムデータを用いて、コマンドパケット信号４０２の通信にエラーがないか否かをデータバイト数から簡易的にチェックする通信エラーチェック処理をも実行する。この第１制御処理４０４で生成された特定データの信号は、レンズ側データパケット信号４０７としてボディ側に出力される。なお、この場合においてコマンドパケット信号４０２の後でボディ側から出力されるボディ側データパケット信号４０６は、レンズ側にとっては特に意味をなさないダミーデータ信号（チェックサムデータは含む）となっている。この場合にはレンズ制御部２０３は、第２制御処理４０８として、ボディ側データパケット信号４０６に含まれるチェックサムデータを用いた、上述の如き通信エラーチェック処理を実行する。
【００７５】
また例えば、受信したボディ側コマンドパケット信号４０２が、レンズ側の被駆動部材を駆動する指示であった場合について述べる。例えば、コマンドパケット信号４０２がフォーカシングレンズ２１０ｂの駆動指示であり、受信したボディ側データパケット信号４０６がフォーカシングレンズ２１０ｂの駆動量であった場合について述べる。レンズ制御部２０３は、第１制御処理４０４として、コマンドパケット信号４０２の内容を解析処理すると共に、その内容を理解したことを表す了解信号を生成する。更にレンズ制御部２０３は、第１制御処理４０４として、コマンドパケット信号４０２に含まれているチェックサムデータを用いて、上述の如き通信エラーチェック処理をも実行する。この第１制御処理４０４で生成された了解信号は、レンズ側データパケット信号４０７としてボディ側に出力される。またレンズ制御部２０３は、第２制御処理４０８として、ボディ側データパケット信号４０６の内容の解析処理を実行すると共に、ボディ側データパケット信号４０６に含まれるチェックサムデータを用いた上述の如き通信エラーチェック処理を実行する。
【００７６】
レンズ制御部２０３は第２制御処理４０８が完了すると、レンズ側第１通信部２１７に第２制御処理４０８の完了を通知する。これによってレンズ制御部２０３は、レンズ側第１通信部２１７に、接点ＬＰ６からＬレベルの信号を出力させる。すなわち、信号線ＲＤＹの信号レベルをＬレベルにする（Ｔ５）。
【００７７】
なお受信したボディ側コマンドパケット信号４０２が、上述のようなレンズ側の被駆動部材（たとえばフォーカシングレンズ）を駆動する指示であった場合、レンズ制御部２０３は、レンズ側第１通信部２１７に信号線ＲＤＹの信号レベルをＬレベルにさせつつ、レンズ駆動部２１２に対して、フォーカシングレンズ２１０ｂを当該駆動量だけ駆動する処理を実行させる。
【００７８】
上述した時刻Ｔ１〜時刻Ｔ５に行われた通信が、１回のコマンドデータ通信である。上述のように、１回のコマンドデータ通信では、ボディ制御部１０３およびボディ側第１通信部１１７により、ボディ側コマンドパケット信号４０２およびボディ側データパケット信号４０６がそれぞれ１つずつ送信される。すなわち、処理の都合上２つに分割されて送信されるものの、ボディ側コマンドパケット信号４０２およびボディ側データパケット信号４０６は２つ合わせて１つの制御データを構成する。
【００７９】
同様に、１回のコマンドデータ通信では、レンズ制御部２０３およびレンズ側第１通信部２１７によりレンズ側コマンドパケット信号４０３およびレンズ側データパケット信号４０７がそれぞれ１つずつ送信される。すなわち、レンズ側コマンドパケット信号４０３およびレンズ側データパケット信号４０７は２つ合わせて１つの応答データを構成する。
【００８０】
以上のように、レンズ制御部２０３およびレンズ側第１通信部２１７は、ボディ側第１通信部１１７からの制御データの受信と、ボディ側第１通信部１１７への応答データの送信とを並行して行う。コマンドデータ通信に利用される第８レンズ側接続端子ＬＰ８および第８ボディ側接続端子ＢＰ８は、他のクロック信号に同期しない非同期信号（信号線ＲＤＹの信号レベル／Ｈ（Ｈｉｇｈ）レベル、またはＬ（Ｌｏｗ）レベル）が伝送される接点である。
【００８１】
（ホットライン通信の説明）
レンズ制御部２０３は、レンズ側第２通信部２１８を制御して、第９レンズ側接続端子ＬＰ９、第１０レンズ側接続端子ＬＰ１０、第６レンズ側接続端子ＬＰ６、および第７レンズ側接続端子ＬＰ７、すなわち信号線ＨＲＥＱ、ＨＡＮＳ、ＨＣＬＫ、およびＨＤＡＴを介して、ボディ側第２通信部１１８へレンズ位置データを送信する。以下、レンズ側第２通信部２１８とボディ側第２通信部１１８との間で行われる通信の詳細を説明する。
【００８２】
なお、本実施形態において、レンズ制御部２０３およびレンズ側第２通信部２１８と、ボディ制御部１０３およびボディ側第２通信部１１８との間で行われる通信を「ホットライン通信」と称する。
【００８３】
図９は、ホットライン通信の例を示すタイミングチャートである。本実施形態のボディ制御部１０３は、ホットライン通信を第２の所定周期（本実施形態では例えば１ミリ秒）毎に開始するように構成されている。この周期は、コマンドデータ通信を行う周期よりも短い。図９（ａ）は、ホットライン通信が所定周期Ｔｎ毎に繰り返し実行されている様子を示す図である。繰り返し実行されるホットライン通信のうち、ある１回の通信の期間Ｔｘを拡大した様子が図９（ｂ）に示されている。以下、図９（ｂ）のタイミングチャートに基づいて、ホットライン通信の手順を説明する。
【００８４】
ボディ制御部１０３およびボディ側第２通信部１１８は、ホットライン通信の開始時（Ｔ６）、まず第９ボディ側接続端子ＢＰ９からＬレベルの信号を出力する。すなわち、信号線ＨＲＥＱの信号レベルをＬレベルにする。レンズ側第２通信部２１８は、この信号が第９レンズ側接続端子ＬＰ９に入力されたことをレンズ制御部２０３に通知する。レンズ制御部２０３はこの通知に応じて、レンズ位置データを生成する生成処理５０１の実行を開始する。生成処理５０１とは、レンズ制御部２０３がレンズ位置検出部２１３にフォーカシングレンズ２１０ｂの位置を検出させ、検出結果を表すレンズ位置データを生成する処理である。
【００８５】
レンズ制御部２０３が生成処理５０１を実行完了すると、レンズ制御部２０３およびレンズ側第２通信部２１８は第１０レンズ側接続端子ＬＰ１０からＬレベルの信号を出力する（Ｔ７）。すなわち、信号線ＨＡＮＳの信号レベルをＬレベルにする。ボディ制御部１０３およびボディ側第２通信部１１８は、この信号が第１０ボディ側接続端子ＢＰ１０に入力されたことに応じて、第６ボディ側接続端子ＢＰ６からクロック信号５０２を出力する。すなわち、信号線ＨＣＬＫを介してレンズ側第２通信部２１８にクロック信号を伝送する。
【００８６】
レンズ制御部２０３およびレンズ側第２通信部２１８は、このクロック信号５０２に同期して、第７レンズ側接続端子ＬＰ７からレンズ位置データを表すレンズ位置データ信号５０３を出力する。すなわち、信号線ＨＤＡＴを介してボディ側第２通信部１１８にレンズ位置データ信号５０３を伝送する。
【００８７】
レンズ位置データ信号５０３の送信が完了すると、レンズ制御部２０３およびレンズ側第２通信部２１８は第１０レンズ側接続端子ＬＰ１０からＨレベルの信号を出力する。すなわち、信号線ＨＡＮＳの信号レベルをＨレベルにする（Ｔ８）。ボディ側第２通信部１１８は、この信号が第１０ボディ側接続端子ＢＰ１０に入力されたことに応じて、第９レンズ側接続端子ＬＰ９からＨレベルの信号を出力する。すなわち、信号線ＨＲＥＱの信号レベルをＨレベルにする（Ｔ９）。
【００８８】
上述した時刻Ｔ６〜時刻Ｔ９に行われた通信が、１回のホットライン通信である。上述のように、１回のホットライン通信では、レンズ制御部２０３およびレンズ側第２通信部２１８により、レンズ位置データ信号５０３が１つ送信される。ホットライン通信に利用される第９レンズ側接続端子ＬＰ９、第１０レンズ側接続端子ＬＰ１０、第９ボディ側接続端子ＢＰ９、および第１０ボディ側接続端子ＢＰ１０は、他のクロック信号に同期しない非同期信号が伝送される接点である。つまり第９レンズ側接続端子ＬＰ９および第９ボディ側接続端子ＢＰ９は、非同期信号（信号線ＨＲＥＱの信号レベル／Ｈ（Ｈｉｇｈ）レベル、またはＬ（Ｌｏｗ）レベル）が伝送される接点であり、第１０レンズ側接続端子ＬＰ１０および第１０ボディ側接続端子ＢＰ１０は、非同期信号（信号線ＨＡＮＳの信号レベル／Ｈ（Ｈｉｇｈ）レベル、またはＬ（Ｌｏｗ）レベル）が伝送される端子である。
【００８９】
なお、コマンドデータ通信とホットライン通信は、同時にも或いは一部並行的にも実行することが可能である。すなわち、レンズ側第１通信部２１７とレンズ側第２通信部２１８との一方は、その他方がカメラボディ１００と通信を行っている場合であってもカメラボディ１００と通信を行うことが可能である。
【００９０】
上述した第１の実施の形態によるカメラシステムによれば、次の作用効果が得られる。
（１）中間アダプタ３００は、１２個のボディ側接続端子ＢＰ１〜ＢＰ１２を有するカメラボディ１００が取り付けられるＢマウント部３０１ａと、交換レンズ２００が取り付けられるＬマウント部３０１ｂとを有する。またＢ保持部３０２ａには、上記カメラボディ１００の１２個のボディ側接続端子ＢＰ１〜ＢＰ１２の各々に接続される１２個のボディ対応接続端子ＸＰ１〜ＸＰ１２（の露出領域）が配置されている。これら１２個のボディ対応接続端子ＸＰ１〜ＸＰ１２（の露出領域）は、図５に示す位置関係で配置されている。このようにしたので、独立した２つの通信系が、カメラボディ１００と中間アダプタ３００との間で互いに良好な通信を行うことができる。
【００９１】
（２）Ｌ保持部３０２ｂには、１２個のボディ対応接続端子ＸＰ１〜ＸＰ１２（の露出領域）とそれぞれ接続されている１２個のレンズ対応接続端子ＹＰ１〜ＹＰ１２（の露出領域）が配置されている。これら１２個のレンズ対応接続端子ＹＰ１〜ＹＰ１２は、Ｌマウント部３０１ｂに取り付けられる交換レンズ２００のレンズ側マウント部２０１の近傍に設けられた１２個のレンズ側接続端子ＬＰ１〜ＬＰ１２にそれぞれ接続される。このようにしたので、カメラボディ１００に中間アダプタ３００を介して交換レンズ２００を装着した場合に、カメラボディ１００は交換レンズ２００との通信を行うことができる。
【００９２】
（３）Ｌマウント部３０１ｂのマウント中心点Ｏ２に対する１２個のレンズ対応接続端子ＹＰ１〜ＹＰ１２（の露出領域）の互いの位置関係は、Ｂマウント部３０１ａのマウント中心点Ｏ１に対する１２個のボディ対応接続端子ＸＰ１〜ＸＰ１２（の露出領域）の互いの位置関係とは異なる。このようにしたので、レンズ端子配列の異なるレンズに対して、通信対応が可能となる。
【００９３】
（４）中間アダプタ３００は、交換レンズ２００が有する結像光学系２１０を透過した被写体光をカメラボディ１００に出射するレンズ３１０を備える。このようにしたので、中間アダプタ３００を適切に構成することにより、交換レンズ２００に手を加えることなく撮影光学系の光学特性を変更することが可能となる。
【００９４】
（第２の実施の形態）
図１０は、本発明の第２の実施の形態に係るカメラシステムを示した断面図である。このカメラシステム２は、第１の実施の形態に係るカメラシステム１の中間アダプタ３００を、アダプタ側第１通信部６１７およびアダプタ側第２通信部６１８を有する中間アダプタ６００で置き換えた構成となっている。以下、この中間アダプタ６００について説明する。なお、カメラボディ１００および交換レンズ２００は第１の実施の形態と同一であるので、説明を省略する。
【００９５】
図１１は、カメラボディ１００から交換レンズ２００までの各端子の接続態様を示す模式図である。本実施形態の中間アダプタ６００は、アダプタ側第１通信部６１７およびアダプタ側第２通信部６１８を有する。これらの各通信部は、カメラボディ１００側の各端子と、交換レンズ２００側の各端子との間に介在するように結線されており、カメラボディ１００から供給される電力により動作する。
【００９６】
アダプタ側第１通信部６１７は、Ｂ保持部３０２ａに設けられた第３ボディ対応接続端子ＸＰ３、第４ボディ対応接続端子ＸＰ４、第５ボディ対応接続端子ＸＰ５、および第８ボディ対応接続端子ＸＰ８の各々に接続されている。アダプタ側第１通信部６１７はこれら４つの端子を介して、カメラボディ１００のボディ側第１通信部１１７と前述のコマンドデータ通信を行う。
【００９７】
アダプタ側第１通信部６１７は更に、Ｌ保持部３０２ｂに設けられた第３レンズ対応接続端子ＹＰ３、第４レンズ対応接続端子ＹＰ４、第５レンズ対応接続端子ＹＰ５、および第８レンズ対応接続端子ＹＰ８の各々に接続されている。アダプタ側第１通信部６１７は、カメラボディ１００のボディ側第１通信部１１７とコマンドデータ通信を行ったとき、その通信内容に基づき、これら４つの端子を介して、交換レンズ２００のレンズ側第１通信部２１７と前述のコマンドデータ通信を行う。
【００９８】
つまり、アダプタ側第１通信部６１７は、第１実施形態のレンズ側第１通信部２１７のようにボディ側第１通信部１１７とコマンドデータ通信を行い、所定の制御指示を表すデータを受信する。そして、同様の制御指示を表すが当該データとは異なるデータを、第１実施形態のボディ側第１通信部１１７のようにレンズ側第１通信部２１７とコマンドデータ通信を行うことにより、交換レンズ２００に送信する。換言すれば、アダプタ側第１通信部６１７は、カメラボディ１００と交換レンズ２００との間で行われるコマンドデータ通信に介在し、カメラボディ１００からの指令を所定の形式のデータに変換して交換レンズ２００に送信する。
【００９９】
なお、アダプタ側第２通信部６１８はアダプタ側第１通信部６１７と同様であるため説明を省略する。つまりアダプタ側第２通信部６１８は、カメラボディ１００と交換レンズ２００との間で行われるホットライン通信に介在し、交換レンズ２００からのデータを所定の形式のデータに変換してカメラボディ１００に送信する。
【０１００】
上述した第２の実施の形態によるカメラシステムによれば、次の作用効果が得られる。
（１）アダプタ側第１通信部６１７は、４個のボディ対応接続端子ＸＰ３、ＸＰ４、ＸＰ５、ＸＰ８を介して、コマンドデータ通信によりカメラボディ１００のボディ側第１通信部１１７とデータ通信を行う。アダプタ側第１通信部６１７は、このデータ通信によりカメラボディ１００から所定の制御指示を表すデータを受信したことに応じて、４個のレンズ対応接続端子ＹＰ３、ＹＰ４、ＹＰ５、ＹＰ８を介したコマンドデータ通信により、交換レンズ２００のレンズ側第１通信部２１７とデータ通信を行い、当該制御指示を表し当該データとは異なるデータを交換レンズ２００に送信する。このようにしたので、カメラボディ１００が対応するものとは異なる制御データを要求する交換レンズ２００を、カメラボディ１００と共に利用することが可能となる。
【０１０１】
（第３の実施の形態）
本発明を適用した第３の実施の形態のカメラシステムは、第１の実施の形態のカメラシステムと同様の構成を有するが、第１の実施の形態とはボディ対応接続端子ＸＰ１〜ＸＰ１２およびレンズ側接続端子ＬＰ１〜ＬＰ１２の露出領域の表面形状が異なる。以下、この第３の実施の形態におけるボディ対応接続端子ＸＰ１〜ＸＰ１２およびレンズ側接続端子ＬＰ１〜ＬＰ１２の露出領域の表面形状について説明する。なお、以下の説明において、第１の実施の形態と同様の各部については、第１の実施の形態と同一の符号を付し説明を省略する。
【０１０２】
図１４は、第３の実施の形態における中間アダプタ３００のＢマウント部３０１ａの正面図である。図１４（ａ）および図１４（ｂ）に示すように、本実施形態において、Ｂマウント部３０１ａのＢ保持部３０２ａに配置された１２個のボディ対応接続端子ＸＰ１〜ＸＰ１２は、Ｂ保持部３０２ａの内周側（マウント中心点Ｏ１に近い辺）から外周側（マウント中心点Ｏ１に遠い辺）までを覆う大きさを有している。しかしながら、その露出領域の大きさおよび位置は、図５（ａ）および図５（ｂ）に示した第１の実施形態のものと同一である。以下、この点について、第８ボディ対応接続端子ＸＰ８の断面図を示して説明する。
【０１０３】
図１５（ａ）は、第８ボディ対応接続端子ＸＰ８の正面図を拡大した図であり、図１５（ｂ）は第８ボディ対応接続端子ＸＰ８およびＢ保持部３０２ａの断面図である。図１５（ｂ）の断面図に示すように、第８ボディ対応接続端子ＸＰ８を構成する金属片２０９は、その一端が、Ｂ保持部３０２ａの表面に設けられた凹部２０８に入り込んでいる。つまり、金属片２０９の表面は、Ｂ保持部３０２ａの表面に露出する露出領域ＸＰ８ａと、金属片２０９をＢ保持部３０２ａに固定するための固定部ＸＰ８ｂとに分かれている。そして、図１５（ａ）のように表面から見るとあたかも露出領域が図５より大きいように見えるが、実際には、露出領域ＸＰ８ａの大きさは変わらない。
【０１０４】
以上、本実施形態における第８ボディ対応接続端子ＸＰ８の露出領域について説明をしたが、他の１１個のボディ対応接続端子および１２個のレンズ側接続端子ＬＰ１〜ＬＰ１２については第８ボディ対応接続端子ＸＰ８と同様であるので説明を省略する。すなわち、他の１１個のボディ対応接続端子および１２個のレンズ側接続端子ＬＰ１〜ＬＰ１２の露出領域の大きさおよび位置も、図５に示したものと同一であり、表面上増えたように見える領域は、金属片を保持部２０２に固定するための固定部である。
【０１０５】
なお、１２個のボディ対応接続端子ＸＰ１〜ＸＰ１２と１２個のレンズ側接続端子ＬＰ１〜ＬＰ１２とのいずれか一方のみが、図１４および図１５に示した形状を有するようにしてもよい。また、１２個のボディ対応接続端子ＸＰ１〜ＸＰ１２の全てがこのような形状を有しておらず、例えば１個のボディ対応接続端子ＸＰ１のみがこのような形状を有していてもよいし、２個や３個のボディ対応接続端子がこのような形状を有していてもよい。レンズ側接続端子ＬＰ１〜ＬＰ１２についても同様である。また、露出領域の大きさおよび位置は、図５（ａ）および図５（ｂ）に示した第１の実施形態のものと同一であるとしたが、露出領域の大きさおよび位置は同一でなくともよい。
【０１０６】
上述した第３の実施の形態によるカメラシステムによれば、第１の実施形態と同様の作用効果が得られる。
【０１０７】
（第４の実施の形態）
図１６は、本発明の第４の実施の形態に係るカメラシステムを示した斜視図である。カメラシステム４は、カメラボディ１００に装着する中間アダプタ４００と、中間アダプタ４００に装着する中間アダプタ３００と、中間アダプタ３００に装着するアクセサリである交換レンズ２００と、から構成される。
【０１０８】
カメラボディ１００、交換レンズ２００、および中間アダプタ３００の構成は、それぞれ第１の実施の形態と同一である。すなわち、カメラシステム４は、第１の実施の形態に係るカメラシステム１のカメラボディ１００を、カメラボディ１００および中間アダプタ４００で置き換えた構成となっている。
【０１０９】
中間アダプタ４００は、カメラボディ１００のボディ側マウント部１０１に適合する第１マウント部４０１ａと、中間アダプタ３００のＢマウント部３０１ａに適合する第２マウント部４０１ｂとを備えている。第１マウント部４０１ａの近傍（第１マウント部４０１ａの内周側）の位置には、第１マウント部４０１ａの内周側に部分的に突出する状態で、１２個のボディ対応スルー接続端子を保持するボディ対応スルー接続端子保持部４０２ａ（以下、ＢＴ保持部４０２ａと称する）が設けられている。また、第２マウント部４０１ｂの近傍（第２マウント部４０１ｂの内周側）の位置には、第２マウント部４０１ｂの内周側に部分的に突出する状態で、１２個のレンズ対応スルー接続端子を保持するレンズ対応スルー接続端子保持部４０２ｂ（以下、ＬＴ保持部４０２ｂと称する）が設けられている。
【０１１０】
中間アダプタ４００にカメラボディ１００が装着されると、保持部１０２に設けられる複数のボディ側接続端子が、ＢＴ保持部４０２ａに設けられる複数のボディ対応スルー接続端子と電気的に且つ物理的に接続される。また、中間アダプタ４００に中間アダプタ３００が装着されると、ＬＴ保持部４０２ｂに設けられる複数のレンズ対応スルー接続端子が、Ｂ保持部３０２ａに設けられる複数のボディ対応接続端子と電気的に且つ物理的に接続される。
【０１１１】
図１７は、本発明を適用したレンズ交換式のカメラシステムを示した断面図である。中間アダプタ４００の内部には、結像光学系２１０の光軸ＡＸと同一の光軸上に、レンズ４１０が設けられている。レンズ４１０により、結像光学系２１０の焦点距離はレンズ４１０がない場合に比べ所定割合だけ大きくなる。なお、レンズ４１０はなくてもよい。レンズ４１０がない場合、中間アダプタ４００は一般的なアダプタとなる。
【０１１２】
図１８は、カメラボディ１００から交換レンズ２００までの各端子の接続態様を示す模式図である。図１８に示すように、中間アダプタ４００のＢＴ保持部４０２ａには、１２個のボディ側接続端子ＢＰ１〜ＢＰ１２にそれぞれ対応する、１２個のボディ対応スルー接続端子ＣＰ１〜ＣＰ１２が存在する。１２個のボディ対応スルー接続端子ＣＰ１〜ＣＰ１２（の露出領域）は、第１の実施の形態における中間アダプタ３００の１２個のボディ対応接続端子ＸＰ１〜ＸＰ１２（の露出領域）と同様の位置関係で、ＢＴ保持部４０２aに設けられている。また中間アダプタ４００のＬＴ保持部４０２ｂには、１２個のボディ対応接続端子ＸＰ１〜ＸＰ１２にそれぞれ対応する、１２個のレンズ対応スルー接続端子ＤＰ１〜ＤＰ１２が存在する。
【０１１３】
図１８に示すように、１２個のボディ対応スルー接続端子ＣＰ１〜ＣＰ１２と、１２個のレンズ対応スルー接続端子ＤＰ１〜ＤＰ１２とは、中間アダプタ４００の内部においてそれぞれ電気的に接続されている。例えば、第１ボディ対応スルー接続端子ＣＰ１と第１レンズ対応スルー接続端子ＤＰ１は電気的に接続されている。また、第２ボディ対応スルー接続端子ＣＰ２と第２レンズ対応スルー接続端子ＤＰ２は電気的に接続されている。他のボディ対応スルー接続端子ＣＰ３〜ＣＰ１２とレンズ対応スルー接続端子ＤＰ３〜ＤＰ１２についても同様である。
【０１１４】
従って、１２個のボディ側接続端子ＢＰ１〜ＢＰ１２と１２個のボディ対応接続端子ＸＰ１〜ＸＰ１２との電気的な接続関係は、中間アダプタ４００を介しているという違いはあるものの、第１の実施の形態と同様である。例えば、ボディ側接続端子ＢＰ１は、第１の実施の形態と同様に、ボディ対応接続端子ＸＰ１と電気的に接続され、ボディ側接続端子ＢＰ２は、第１の実施の形態と同様に、ボディ対応接続端子ＸＰ２と電気的に接続される。他のボディ側接続端子ＢＰ３〜ＢＰ１２およびボディ対応接続端子ＸＰ３〜ＸＰ１２についても同様である。
【０１１５】
以上のように、中間アダプタ３００のＢマウント部３０１ａは、カメラボディ１００のボディ側マウント部１０１のみならず、中間アダプタ４００の第２マウント部４０１ｂにも適合する。すなわち、中間アダプタ３００のＢマウント部３０１ａには、カメラボディ１００のみならず、中間アダプタ４００を装着することもできる。
【０１１６】
換言すれば、中間アダプタ３００のＢマウント部３０１ａは、中間アダプタ４００の第２マウント部４０１ｂの近傍に設けられた１２個のレンズ対応スルー接続端子ＤＰ１〜ＤＰ１２を有する中間アダプタ４００が取り付けられ、マウント中心点Ｏ１を有する。また、中間アダプタ３００のＢ保持部３０２ａには、各々がレンズ対応スルー接続端子ＤＰ１〜ＤＰ１２の１つと接触する接触部を有する１２個のボディ対応接続端子ＸＰ１〜ＸＰ１２が配置されている。
【０１１７】
上述した第４の実施の形態によるカメラシステムによれば、第１の実施形態と同様の作用効果が得られる。
【０１１８】
次のような変形も本発明の範囲内であり、変形例の一つ、もしくは複数を上述の実施形態と組み合わせることも可能である。
【０１１９】
（変形例１）
上述の実施の形態では、図５などに示すように、複数のボディ対応接続端子をＢ保持部３０２ａの上下の縁に沿って配置していた。これら複数のボディ対応接続端子を、これ以外の形態でＢ保持部３０２ａに配置してもよい。また、複数のボディ対応接続端子はＢ保持部３０２ａのどの位置に配置してもよいし、Ｂ保持部３０２ａの形状も図５に示す形状に限定されずどのような形状であってもよい。
【０１２０】
（変形例２）
上記実施形態では、ホットライン通信で、フォーカシングレンズ２１０ｂの位置データを、交換レンズ２００からカメラボディ１００に送信するものとして説明した。しかしながらホットライン通信を使って、フォーカシングレンズ以外の被駆動部材の状態情報をも送信するようにシステムを構成しても良い。例えば交換レンズ２００に手振れ補正のためのブレ補正レンズが設けられている場合には、そのブレ補正レンズの位置（Ｘ，Ｙ位置）を送信するようにしても良い。また交換レンズ内の絞りの位置（絞り開口サイズに関連する情報）を送信するようにしても良い。また交換レンズ２００がズームレンズであれば、レンズの焦点距離に関する情報を送信するようにしても良い。このような場合には、図７（ｂ）に示す生成処理５０１として、ブレ補正レンズの位置データを生成する処理や、絞り開口を形成する絞りの制御位置データ（開口サイズに対応する位置情報）を生成する処理や、ズームレンズの位置データを生成する処理が含まれる。
【０１２１】
（変形例３）
上述の実施形態では、保持部１０２（ボディ側）、保持部２０２（レンズ側）、Ｂ保持部３０２ａ、およびＬ保持部３０２ｂをそれぞれ一体部品（一部品）としている。しかしながら、これらの各保持部はそれぞれ、幾つかに（幾つかの端子ごとに）分割されている複数の保持部部品を組み合わせることで、一体に形成するように構成しても良い。
【０１２２】
（変形例４）
上述の実施形態では、通信インターフェースを、２つの通信（ホットライン通信、コマンドデータ通信）に対してそれぞれ個別に設けているが、これらが一体に形成されていてもよい。すなわち交換レンズ側で言えば、レンズ側第１通信部２１７とレンズ側第２通信部２１８とが一体に形成されていても良い。同様にカメラボディ側で言えばボディ側第１通信部１１７とボディ側第２通信部１１８とが一体に形成されていても良い。更に、ボディ制御部１０３やレンズ制御部２０３の代わりに、これらの各通信インターフェースの機能が組み込まれたボディ制御部やレンズ制御部を使用しても良い。
【０１２３】
（変形例５）
第２の実施形態において、レンズ側第１通信部２１７とアダプタ側第１通信部６１７とはコマンドデータ通信によりデータ通信を行っていた。これら２つの通信部の間で行われるデータ通信は、上述したコマンドデータ通信以外の通信手順（プロトコル）に従ったデータ通信であってもよい。例えば、Ｌ保持部３０２ｂや保持部２０２に図１１に示したものとは異なる配列および配線の端子を設け、それらの端子に基づくデータ通信を行ってもよい。つまり、アダプタ側第１通信部６１７は、交換レンズ２００との通信内容を、カメラボディ１００に適した通信内容に翻訳する役割を果たす。中間アダプタ６００をこのように構成することにより、コマンドデータ通信とは全く異なる通信手続を用いる交換レンズであっても、カメラボディ１００と共に利用することが可能となる。アダプタ側第２通信部６１８についても同様であり、ホットライン通信以外のデータ通信方式を利用してよい。
【０１２４】
（変形例６）
第１の実施形態において、Ｂ保持部３０２ａに設けられた１２個のボディ対応接続端子ＸＰ１〜ＸＰ１２は、それぞれの端子の（露出領域の）中心部とＢマウント部３０１ａのマウント中心点Ｏ１との間の距離が全て等しくなるように配置されていた。これを、少なくとも１つのボディ対応接続端子について、端子の（露出領域の）中心部とマウント中心点Ｏ１との間の距離が、他のボディ対応接続端子と異なっているように構成してもよい。例えば図１２に示すように、１２個のボディ対応接続端子ＸＰ１〜ＸＰ１２（の露出領域）を千鳥配列とし、各ボディ対応接続端子の中心部とマウント中心点Ｏ１との間の距離が長い端子と短い端子とが存在するようにしてもよい。保持部１０２に設けられた１２個のボディ側接続端子ＢＰ１〜ＢＰ１２に対し、１２個のボディ対応接続端子ＸＰ１〜ＸＰ１２（の露出領域）は十分な大きさを持っているため、このように構成した場合であっても、保持部１０２の各端子とＢ保持部３０２ａの各端子とが確実に接続されるようにすることができる。
【０１２５】
また、Ｌ保持部３０２ｂに設けられた１２個のレンズ対応接続端子ＹＰ１〜ＹＰ１２（の露出領域）についても同様に、少なくとも１つのレンズ対応接続端子について、端子の（露出領域の）中心部とマウント中心点Ｏ２との間の距離が、他のレンズ対応接続端子と異なっているように構成してもよい。例えば、上述したように千鳥配列としてもよい。
【０１２６】
（変形例７）
第１の実施形態において、Ｂ保持部３０２ａには必ずしも１２個のボディ対応接続端子ＸＰ１〜ＸＰ１２（の露出領域）を全て配置しなくてもよい。例えば図１３に示すように、５個のボディ対応接続端子ＸＰ３、ＸＰ４、ＸＰ５、ＸＰ８、およびＸＰ１１のみを配置するようにしてもよい。換言すれば、ホットライン通信に利用されるボディ対応接続端子ＸＰ６、ＸＰ７、ＸＰ９、およびＸＰ１０と、レンズ駆動部２１２の駆動電圧を供給する第１ボディ対応接続端子ＸＰ１およびその接地端子である第２ボディ対応接続端子ＸＰ２と、レンズ駆動部２１２以外の各部の動作電圧に対応する接地端子である第１２ボディ対応接続端子ＢＰ１２は、省略することが可能である。これは、以下のような理由に拠る。
【０１２７】
例えば、Ｌマウント部３０１ｂに装着される交換レンズ２００が自動焦点調節機能に対応しない、いわゆるマニュアルフォーカスレンズである場合を考える。このような場合、交換レンズ２００はレンズ駆動部２１２を有しておらず、フォーカシングレンズ２１０ｂが撮影者によるフォーカス環の手動操作によってのみ調節される。従って、レンズ駆動部２１２の駆動電圧を供給する第１ボディ対応接続端子ＸＰ１およびその接地端子である第２ボディ対応接続端子ＸＰ２は不要であり、Ｂ保持部３０２ａはこれらのボディ対応接続端子を備えていなくても構わない。また、自動焦点調節機能を利用しない場合、ホットライン通信によりフォーカシングレンズ２１０ｂの位置をカメラボディ１００に伝達する必要がないので、ホットライン通信のための通信系端子（第９ボディ対応接続端子ＸＰ９、第１０ボディ対応接続端子ＸＰ１０、第６ボディ対応接続端子ＸＰ６、および第７ボディ対応接続端子ＸＰ７）は不要であり、Ｂ保持部３０２ａはこれらのボディ対応接続端子を備えていなくても構わない。最後に、第１２ボディ対応接続端子ＸＰ１２は、第２ボディ対応接続端子ＸＰ２と兼用することができるので不要である。
【０１２８】
全く同じことが、Ｌ保持部３０２ｂについても言える。つまり、Ｌ保持部３０２ｂには必ずしも１２個のレンズ対応接続端子ＹＰ１〜ＹＰ１２を全て配置しなくてもよい。少なくとも５個のレンズ対応接続端子ＹＰ３、ＹＰ４、ＹＰ５、ＹＰ８、およびＹＰ１１のみを配置するようにしてもよい。換言すれば、ホットライン通信に利用されるレンズ対応接続端子ＹＰ６、ＹＰ７、ＹＰ９、およびＹＰ１０と、レンズ駆動部２１２の駆動電圧を供給する第１レンズ対応接続端子ＹＰ１およびその接地端子である第２レンズ対応接続端子ＹＰ２と、レンズ駆動部２１２以外の各部の動作電圧に対応する接地端子である第１２レンズ対応接続端子ＹＰ１２は、省略することが可能である。
【０１２９】
（変形例８）
第４の実施の形態では、２つの中間アダプタ３００，４００を用いたカメラシステムについて説明をしたが、より多数の中間アダプタを利用することも可能である。また、中間アダプタ同士の位置関係や、各中間アダプタが備えるマウント形状、接続端子の配列、中間アダプタ内における接続端子同士の配線などは、第４の実施の形態で例示したものから任意に変更することができる。
【０１３０】
例えば、第１の実施の形態と同様の中間アダプタ３００をカメラボディ１００に装着し、当該中間アダプタ３００と交換レンズ２００との間に中間アダプタ４００と同様の中間アダプタ（アクセサリ）を装着するようにしてもよい。また、中間アダプタ４００やカメラボディ１００のマウント形状が、中間アダプタ３００や交換レンズ２００のマウント形状と異なっていてもよい。すなわち、中間アダプタ３００や中間アダプタ４００が、異なるマウント規格同士のカメラボディ１００および交換レンズ２００を組み合わせて利用するための中間アダプタであってもよい。
【０１３１】
また、変形例７で説明したように、一部の接続端子を省略することもできるし、接続端子の配列、配線、位置等を変更することもできる。
【０１３２】
本発明の特徴を損なわない限り、本発明は上記実施の形態に限定されるものではなく、本発明の技術的思想の範囲内で考えられるその他の形態についても、本発明の範囲内に含まれる。
【符号の説明】
【０１３３】
１、２…カメラシステム、１００…カメラボディ、１０１…ボディ側マウント部、１０２、２０２…保持部、１０３…ボディ制御部、１１７…ボディ側第１通信部、１１８…ボディ側第２通信部、２００…交換レンズ、２０１…レンズ側マウント部、２０３…レンズ制御部、２１０…結像光学系、２１７…レンズ側第１通信部、２１８…レンズ側第２通信部、３００、６００…中間アダプタ、３０１ａ…ボディ対応マウント部（Ｂマウント部）、３０１ｂ…レンズ対応マウント部（Ｌマウント部）、３０２ａ…ボディ対応接続端子保持部（Ｂ保持部）、３０２ｂ…レンズ対応接続端子保持部（Ｌ保持部）、６１７…アダプタ側第１通信部、６１８…アダプタ側第２通信部
【図１】
0005257536.tif 000002
【図２】
0005257536.tif 000003
【図３】
0005257536.tif 000004
【図４】
0005257536.tif 000005
【図５】
0005257536.tif 000006
【図６】
0005257536.tif 000007
【図７】
0005257536.tif 000008
【図８】
0005257536.tif 000009
【図９】
0005257536.tif 000010
【図１０】
0005257536.tif 000011
【図１１】
0005257536.tif 000012
【図１２】
0005257536.tif 000013
【図１３】
0005257536.tif 000014
【図１４】
0005257536.tif 000015
【図１５】
0005257536.tif 000016
【図１６】
0005257536.tif 000017
【図１７】
0005257536.tif 000018
【図１８】
0005257536.tif 000019